(57)【要約】      （修正有）【課題】洗浄液を含浸させた払拭シートの洗浄液の蒸発が抑制される払拭装置、及び液体吐出装置を提供する。【解決手段】液体吐出ヘッド５６の液体吐出面２７７を払拭し、洗浄液を含浸させた払拭シート３１０と、払拭シートが収納される収納部、及び払拭シートの出口４０２を備え、気密性を有する材料が用いられる収納容器４００と、収納容器の出口を介して筐体に形成された走行経路に沿って、収納容器から繰り出された払拭シートを走行させる払拭シート走行部と、を備え、払拭シートは払拭シートにおける洗浄液の流れを抑制する構造であり、払拭シートの走行方向と交差する方向に沿う抑制部が形成される。【選択図】図１４
2018086797.tif 000002
【特許請求の範囲】
【請求項１】
液体吐出ヘッドの液体吐出面を払拭する払拭シートであり、洗浄液を含浸させた払拭シートと、
前記払拭シートが収納される収納部、及び前記払拭シートの出口を備えた収納容器であり、前記出口を除いた非出口領域において気密性を有する収納容器と、
前記収納容器が取り付けられる筐体と、
前記収納容器の前記出口を介して、前記筐体に形成された走行経路に沿って、前記収納容器から繰り出された払拭シートを走行させる払拭シート走行部と、
を備え、
前記払拭シートは、前記払拭シートにおける前記洗浄液の流れを抑制する構造である抑制部であり、前記払拭シートの走行方向と交差する方向に沿う抑制部が形成される払拭装置。
【請求項２】
前記払拭シートは、前記収納容器の前記収納部に、ロール状に巻かれた状態で収納される請求項１に記載の払拭装置。
【請求項３】
前記収納容器は、前記払拭シートの走行方向と交差する方向について、前記払拭シートの第一面、及び前記第一面の反対側の第二面に接触して、前記払拭シートに形成された前記抑制部を前記払拭シートの第一面、及び前記第二面から挟持する挟持部を備え、
前記挟持部は、前記出口に配置される請求項１又は２に記載の払拭装置。
【請求項４】
前記挟持部は、前記払拭シートの経路が折り返される構造を有する請求項３に記載の払拭装置。
【請求項５】
前記挟持部は、前記収納容器の内側の面に向けて前記払拭シートを付勢する付勢部を備えた請求項３に記載の払拭装置。
【請求項６】
前記挟持部は、複数のローラを備えた請求項３に記載の払拭装置。
【請求項７】
前記挟持部は、前記収納容器の内側に配置される請求項３から６のいずれか一項に記載の払拭装置。
【請求項８】
前記挟持部は、前記収納容器の外側に配置される請求項３から６のいずれか一項に記載の払拭装置。
【請求項９】
前記出口に取り付けられるキャップを備えた請求項１から８のいずれか一項に記載の払拭装置。
【請求項１０】
前記液体吐出ヘッドと前記払拭シートの走行経路が形成される前記筐体とを相対的に移動させる相対移動部を備えた請求項１から９のいずれか一項に記載の払拭装置。
【請求項１１】
前記払拭シートは、前記払拭シートの走行方向に沿って複数の抑制部が形成され、
前記複数の抑制部は、一回の払拭処理に使用される前記払拭シートの長さに対応する間隔で配置される請求項１から１０のいずれか一項に記載の払拭装置。
【請求項１２】
液体を吐出させる液体吐出面を備えた液体吐出ヘッドと、
前記液体吐出ヘッドの前記液体吐出面を払拭する払拭装置と、
を備え、
前記払拭装置は、前記液体吐出面を払拭する払拭シートであり、洗浄液を含浸させた払拭シートが収納される収納部、前記払拭シートの出口を備えた収納容器であり、前記出口を除いた非出口領域において気密性を有する収納容器、前記収納容器が取り付けられる筐体、及び前記収納容器の前記出口を介して、前記筐体に形成された走行経路に沿って、前記収納容器から繰り出された払拭シートを走行させる払拭シート走行部を備え、
前記払拭シートは、前記払拭シートにおける前記洗浄液の流れを抑制する構造である抑制部であり、前記払拭シートの走行方向と交差する方向に沿う抑制部が形成される液体吐出装置。
【請求項１３】
前記収納容器は、洗浄液を貯留する洗浄液貯留部と、
前記払拭シートが前記洗浄液貯留部に貯留されている洗浄液に接触する位置に前記払拭シートを案内するガイド部材と、
を備えた請求項１２に記載の液体吐出装置。
【請求項１４】
前記払拭シート走行部を用いた前記払拭シートの走行を制御する走行制御部と、
前記払拭シートの前回の使用からの経過期間を計測する計測部と、
を備え、
前記走行制御部は、前記計測部を用いて計測された前記払拭シートの前回の使用からの経過期間が予め決められた基準期間以上の場合に、前記払拭シート走行部を動作させて、前記収納容器の外部に露出している前記払拭シートを、前記収納容器の前記洗浄液貯留部の位置まで巻き戻す請求項１３に記載の液体吐出装置。
【発明の詳細な説明】
【技術分野】
【０００１】
本発明は払拭装置、及び液体吐出装置に係り、特に液体吐出ヘッドの液体吐出面の払拭に関する。
【背景技術】
【０００２】
インクジェット方式の液体吐出ヘッドを備えた画像形成装置が知られている。インクジェット方式の液体吐出ヘッドは、液体吐出ヘッドの吐出性能を良好な状態に保つために、液体吐出ヘッドに対して回復処理が施される。
【０００３】
特許文献１は、予め洗浄液を含浸させた払拭シートが用いられて、液体吐出ヘッドの液体吐出面に対して払拭処理が施される液体吐出装置が記載されている。
【０００４】
なお、本明細書における洗浄液は、特許文献１における含浸液に対応している。本明細書における払拭シートは、特許文献１における払拭部材に対応している。本明細書における液体吐出装置は、特許文献１におけるインクジェット記録装置に対応している。本明細書における液体吐出ヘッドは、特許文献１における記録ヘッドに対応している。
【０００５】
特許文献２は、ロール状に巻かれた払拭シートが、スリット状の出口を有する密閉された容器に収納される払拭装置が記載されている。特許文献２に記載の発明では、払拭シートを密閉された容器に収納することに起因して、払拭シートに含浸させた洗浄液の溶媒の蒸発が極力防止されている。
【０００６】
なお、本明細書における払拭シートは、特許文献２におけるウエップに対応している。本明細書における払拭装置は、特許文献２における被記録材の再生装置に対応している。
【０００７】
特許文献３は、液体吐出ヘッドの液体吐出面を払拭する払拭シートに対して、予め決められた距離を離して突起部を形成し、突起部を順に液体吐出面に接触させる液体吐出装置が記載されている。
【０００８】
なお、本明細書における液体吐出ヘッドは、特許文献３における記録ヘッドに対応している。本明細書における液体吐出面は、特許文献３におけるノズルプレートに対応している。本明細書における払拭シートは、特許文献３における吸収紙に対応している。本明細書における液体吐出装置は、特許文献３におけるインクジェットプリンタに対応している。
【０００９】
特許文献４は、ロール状の払拭シートを収納する吸収部材収納部を備え、吸収部材収納部の上部に払拭シートを液体吐出面へ押し付ける際に使用される押圧部材を備えたヘッドメンテナンス装置が記載されている。
【００１０】
なお、本明細書における払拭シートは、特許文献４におけるインク吸収部材に対応している。
【先行技術文献】
【特許文献】
【００１１】
【特許文献１】特開２０１３−２２６８０５号公報
【特許文献２】特開平１１−３４８２６０号公報
【特許文献３】特開平１１−１１５２１５号公報
【特許文献４】特開２００８−６７１５号公報
【発明の概要】
【発明が解決しようとする課題】
【００１２】
しかしながら、特許文献１に記載の発明は、乾いた状態の払拭シートを用いて液体吐出面が払拭されると、所望の払拭性能を発揮することが困難である。特許文献１に記載の発明は、液体吐出面の払拭の際に、確実に濡れた状態の払拭シートが用いられる必要がある。しかし、特許文献１には、液体吐出面の払拭の際に、確実に濡れた状態の払拭シートが用いられる構成は記載されていない。
【００１３】
特許文献２に記載の発明は、スリット状の出口から洗浄液が蒸発してしまい、払拭シートが乾燥してしまうという問題がある。
【００１４】
特許文献３に記載の発明は、払拭シートに形成された構造を用いて、洗浄液を含浸させた払拭シートの状態を維持することは困難である。
【００１５】
特許文献４に記載の発明は、吸収部材収納部に収納された払拭シートについて、洗浄液を含浸させた状態を維持することは困難である。
【００１６】
本発明はこのような事情に鑑みてなされたもので、洗浄液を含浸させた払拭シートの洗浄液の流出が抑制される払拭装置、及び液体吐出装置を提供することを目的とする。
【課題を解決するための手段】
【００１７】
上記目的を達成するために、次の発明態様を提供する。
【００１８】
第１態様に係る払拭装置は、液体吐出ヘッドの液体吐出面を払拭する払拭シートであり、洗浄液を含浸させた払拭シートと、払拭シートが収納される収納部、及び払拭シートの出口を備えた収納容器であり、出口を除いた非出口領域において気密性を有する収納容器と、収納容器が取り付けられる筐体と、収納容器の出口を介して、筐体に形成された走行経路に沿って、収納容器から繰り出された払拭シートを走行させる払拭シート走行部と、を備え、払拭シートは、払拭シートにおける洗浄液の流れを抑制する構造である抑制部であり、払拭シートの走行方向と交差する方向に沿う抑制部が形成される払拭装置である。
【００１９】
第１態様によれば、払拭シートに抑制部を備えることに起因して、抑制部の位置において払拭シートの毛管力を低下させる。これにより、払拭シートに含浸させた洗浄液が、払拭シートの繊維を伝わって収納容器の外部へ流出することが抑制される。
【００２０】
払拭シートは、紙、及び布などの繊維を有する材料を適用可能である。
【００２１】
抑制部は、払拭シートの走行方向と交差する方向について、払拭シートの全長以下の長さを有する態様が好ましい。抑制部は、払拭シートの走行方向と直交する方向に沿って形成されてもよい。
【００２２】
第２態様は、第１態様の払拭装置において、払拭シートは、収納容器の収納部に、ロール状に巻かれた状態で収納される。
【００２３】
第２態様によれば、収納容器の中に払拭シートをコンパクトに収納することが可能である。
【００２４】
第３態様は、第１態様又は第２態様の払拭装置において、収納容器は、払拭シートの走行方向と交差する方向について、払拭シートの第一面、及び第一面の反対側の第二面に接触して、払拭シートに形成された抑制部を払拭シートの第一面、及び第二面から挟持する挟持部を備え、挟持部は、出口に配置される構成とされてもよい。
【００２５】
第３態様によれば、収納容器の出口における収納容器の内部の洗浄液の蒸発が抑制される。また、払拭シートに含浸させた洗浄液の一部の除去が可能である。これにより、払拭シートの洗浄液の過多状態の回避が可能である。
【００２６】
第４態様は、第３態様の払拭装置において、挟持部は払拭シートの経路が折り返される構造を有する構成とされてもよい。
【００２７】
第４態様によれば、収納容器の出口における収納容器の内部の洗浄液の蒸発が効果的に抑制される。
【００２８】
第５態様は、第３態様の払拭装置において、挟持部は、収納容器の内側の面に向けて払拭シートを付勢する付勢部を備えた構成とされてもよい。
【００２９】
第５態様によれば、収納容器の内側面と付勢部との間に、払拭シートを挟持することが可能である。
【００３０】
第６態様は、第３態様の払拭装置において、挟持部は、複数のローラを備えた構成とされてもよい。
【００３１】
第６態様によれば、複数のローラの間に払拭シートを挟持することが可能である。
【００３２】
第７態様は、第３態様から第６態様のいずれか一態様の払拭装置において、挟持部は、収納容器の内側に配置される構成とされてもよい。
【００３３】
第７態様によれば、収納容器の内側において、払拭シートの挟持が可能である。
【００３４】
第８態様は、第３態様から第６態様のいずれか一態様の払拭装置において、挟持部は、収納容器の外側に配置される構成とされてもよい。
【００３５】
第８態様によれば、収納容器の外側において、払拭シートの挟持が可能である。
【００３６】
第９態様は、第１態様から第８態様のいずれか一態様の払拭装置において、出口に取り付けられるキャップを備えた構成とされてもよい。
【００３７】
第９態様によれば、払拭シートの非使用状態において、収納容器の内部の洗浄液の蒸発が抑制される。
【００３８】
第１０態様は、第１態様から第９態様のいずれか一態様の払拭装置において、液体吐出ヘッドと払拭シートの走行経路が形成される筐体とを相対的に移動させる相対移動部を備えた構成とされてもよい。
【００３９】
第１０態様によれば、効率のよい払拭処理が可能である。
【００４０】
第１１態様は、第１態様から第１０態様のいずれか一態様の払拭装置において、払拭シートは、払拭シートの走行方向に沿って複数の抑制部が形成され、複数の抑制部は、一回の払拭処理に使用される払拭シートの長さに対応する間隔で配置される構成とされてもよい。
【００４１】
第１１態様によれば、抑制部を払拭に使用せずに、払拭シートを用いて液体吐出ヘッドの液体吐出面の払拭が可能である。
【００４２】
第１２態様に係る液体吐出装置は、液体を吐出させる液体吐出面を備えた液体吐出ヘッドと、液体吐出ヘッドの液体吐出面を払拭する払拭装置と、を備え、払拭装置は、液体吐出面を払拭する払拭シートであり、洗浄液を含浸させた払拭シートが収納される収納部、払拭シートの出口を備えた収納容器であり、出口を除いた非出口領域において気密性を有する収納容器、収納容器が取り付けられる筐体、及び収納容器の出口を介して、筐体に形成された走行経路に沿って、収納容器から繰り出された払拭シートを走行させる払拭シート走行部を備え、払拭シートは、払拭シートにおける洗浄液の流れを抑制する構造である抑制部であり、払拭シートの走行方向と交差する方向に沿う抑制部が形成される液体吐出装置である。
【００４３】
第１２態様によれば、第１態様と同様の効果を得ることができる。
【００４４】
第１２態様において、第２態様から第１１態様で特定した事項と同様の事項を適宜組み合わせることができる。その場合、払拭装置において特定される処理や機能を担う構成要素は、これに対応する処理や機能を担う液体吐出装置の構成要素として把握することができる。
【００４５】
第１３態様は、第１２態様の液体吐出装置において、収納容器は、洗浄液を貯留する洗浄液貯留部と、払拭シートが洗浄液貯留部に貯留されている洗浄液に接触する位置に払拭シートを案内するガイド部材と、を備えた構成とされてもよい。
【００４６】
第１３態様によれば、収納容器の内部において、払拭シートに洗浄液を接触させることが可能である。
【００４７】
第１４態様は、第１３態様の液体吐出装置において、払拭シート走行部を用いた払拭シートの走行を制御する走行制御部と、払拭シートの前回の使用からの経過期間を計測する計測部と、を備え、走行制御部は、計測部を用いて計測された払拭シートの前回の使用からの経過期間が予め決められた基準期間以上の場合に、払拭シート走行部を動作させて、収納容器の外部に露出している払拭シートを、収納容器の洗浄液貯留部の位置まで巻き戻す構成とされてもよい。
【００４８】
第１４態様によれば、乾燥が進行した払拭シートに対して洗浄液の付与が可能となる。
【発明の効果】
【００４９】
本発明によれば、払拭シートに抑制部を備えることに起因して、抑制部の位置において払拭シートの毛管力を低下させる。これにより、払拭シートに含浸させた洗浄液が、払拭シートの繊維を伝わって収納容器の外部へ流出することが抑制される。
【図面の簡単な説明】
【００５０】
【図１】図１はインクジェット記録装置の全体構成図である。
【図２】図２は図１に示されたインクジェット記録装置の制御系のブロック図である。
【図３】図３は液体吐出ヘッドの構造例が示される透視平面図である。
【図４】図４はヘッドモジュールの斜視図であり部分断面図を含む図である。
【図５】図５は液体吐出ヘッドの構造例が示される透視平面図である。
【図６】図６はヘッドモジュールの内部構造が示される断面図である。
【図７】図７は液体吐出ヘッド支持部の構成例を示す描画部の側面図である。
【図８】図８は描画部の正面図である。
【図９】図９はヘッドクリーニングユニットの構成を示す側面図である。
【図１０】図１０はクリーナの正面図である。
【図１１】図１１はクリーナの背面図である。
【図１２】図１２はクリーナの平面図である。
【図１３】図１３は払拭ウエブの収納状態が示される斜視図である。
【図１４】図１４は払拭処理の模式図である。
【図１５】図１５は払拭ウエブの構造例が示される斜視図である。
【図１６】図１６は穴部の変形例が示される斜視図である。
【図１７】図１７は払拭ウエブの他の構造例が示される斜視図である。
【図１８】図１８は払拭ウエブ収納容器の他の構造例が示される斜視図である。
【図１９】図１９は図１８に示された払拭ウエブ収納容器の分解斜視図である。
【図２０】図２０は図１８に示された払拭ウエブ収納容器の内部構造例が示される斜視図である。
【図２１】図２１はニップ部の他の構成例が示される模式図である。
【図２２】図２２はニップ部の他の構成例が示される模式図である。
【図２３】図２３はニップ部の他の構成例が示される模式図である。
【図２４】図２４は洗浄液貯留部の構造例が示される払拭ウエブ収納容器の本体部の平面図である。
【図２５】図２５は払拭ウエブの巻芯の構造例が示される斜視図である。
【図２６】図２６は払拭ウエブの巻芯の構造例が示される側面図である。
【図２７】図２７は払拭ウエブ収納容器の斜視断面図である。
【図２８】図２８は払拭ウエブ収納容器に取り付け可能なキャップの一例が示される斜視図である。
【図２９】図２９はメンテナンス方法の制御の流れが示されるフローチャートである。
【発明を実施するための形態】
【００５１】
以下、添付図面に従って本発明の好ましい実施の形態について詳説する。本明細書では、同一の構成要素には同一の参照符号を付して、重複する説明を省略する。なお、本明細書における平行の用語は、交差するものの、平行と同様の作用効果を得ることが可能な実質的な平行が含まれる。また、本明細書における直交の用語は、９０度未満の角度、又は９０度を超える角度で交差するものの、直交と同様の作用効果を得ることが可能な実質的な直交が含まれる。
【００５２】
また、本明細書における上の用語は、重力方向と反対の方向の成分を有する方向を表す。また、本明細書における下の用語は、重力方向の成分を有する方向を表す。本明細書における同一の用語は、相違点が存在するものの、同様の作用効果を得ることが可能な実質的な同一が含まれる。
【００５３】
［インクジェット記録装置の説明］
＜全体構成＞
図１はインクジェット記録装置の全体構成図である。インクジェット記録装置は液体吐出装置の一態様である。
【００５４】
図１に示されたインクジェット記録装置１０は、枚葉の用紙Ｓにインクを用いてインクジェット方式で画像を描画するインクジェット記録装置である。なお、本明細書では、インクの用語は液体の用語に置き替えることが可能である。用紙Ｓは、紙、樹脂、又は金属などのシート状の部材が挙げられる。樹脂、又は金属などのシート状の部材には、基材、又は基板と呼ばれるものが含まれていてもよい。
【００５５】
インクジェット記録装置１０は、主として、給紙部１２、処理液付与部１４、処理液乾燥処理部１６、描画部１８、インク乾燥処理部２０、及び排紙部２４を備えている。以下、各部が詳細に説明される。
【００５６】
＜給紙部＞
給紙部１２は、給紙台３０、サッカー装置３２、給紙ローラ対３４、フィーダボード３６、前当て３８、及び給紙ドラム４０を備えている。フィーダボード３６はリテーナ３６Ａ、及びガイドローラ３６Ｂを備えている。
【００５７】
リテーナ３６Ａ、及びガイドローラ３６Ｂは、フィーダボード３６の用紙Ｓが搬送される搬送面に配置される。前当て３８はフィーダボード３６と給紙ドラム４０との間に配置される。
【００５８】
給紙ドラム４０は、回転軸４０Ｂと平行になる方向を長手方向とする円筒形状を有している。給紙ドラム４０は長手方向について、用紙Ｓの全長を超える長さを有している。給紙ドラム４０の回転軸４０Ｂの方向は図１の紙面を貫く方向である。
【００５９】
ドラムとは円筒形状を有し、媒体の少なくとも一部を保持して円筒形状の中心軸について回転させることで、媒体を円筒形状の外周面に沿って搬送させる搬送部材である。
【００６０】
給紙ドラム４０はグリッパー４０Ａを備えている。グリッパー４０Ａは、複数の爪、爪台、及びグリッパー軸を備えている。複数の爪、爪台、及びグリッパー軸の図示は省略される。
【００６１】
グリッパー４０Ａの複数の爪は、給紙ドラム４０の回転軸４０Ｂと平行になる方向に沿って配置される。複数の爪の基端部はグリッパー軸に揺動可能に支持される。複数の爪の配置間隔、及び複数の爪が配置される領域の長さは、用紙Ｓのサイズに応じて決められている。
【００６２】
爪台は給紙ドラム４０の回転軸４０Ｂと平行になる方向を長手方向とする部材である。給紙ドラム４０の長手方向について、爪台の長さは複数の爪が配置される領域の長さ以上とされる。爪台は複数の爪の先端部と対向する位置に配置される。
【００６３】
給紙部１２は、給紙台３０に積載された用紙Ｓを一枚ずつ処理液付与部１４へ給紙する。給紙台３０の上に積載された用紙Ｓは、サッカー装置３２が用いられて上から順に一枚ずつ引き上げられて、給紙ローラ対３４に給紙される。
【００６４】
給紙ローラ対３４に給紙される用紙Ｓは、フィーダボード３６に載置され、フィーダボード３６が用いられて搬送される。フィーダボード３６が用いられて搬送される用紙Ｓは、リテーナ３６Ａ、及びガイドローラ３６Ｂが用いられてフィーダボード３６の搬送面に押し付けられ、凹凸が矯正される。
【００６５】
フィーダボード３６が用いられて搬送される用紙Ｓは、先端が前当て３８に当接されることに起因して傾きが矯正される。フィーダボード３６が用いられて搬送される用紙Ｓは、給紙ドラム４０に受け渡される。
【００６６】
給紙ドラム４０に受け渡された用紙Ｓは、給紙ドラム４０のグリッパー４０Ａが用いられて先端部を把持される。給紙ドラム４０を回転させると用紙Ｓは給紙ドラム４０の外周面に沿って搬送される。給紙ドラム４０が用いられて搬送される用紙Ｓは処理液付与部１４へ受け渡される。
【００６７】
＜処理液付与部＞
処理液付与部１４は、処理液ドラム４２、及び処理液付与装置４４を備えている。処理液ドラム４２はグリッパー４２Ａを備えている。グリッパー４２Ａには給紙ドラム４０のグリッパー４０Ａと同様の構成を適用することができる。
【００６８】
図１に示された処理液ドラム４２は、給紙ドラム４０の直径の二倍の直径を有している。処理液ドラム４２はグリッパー４２Ａが二か所に配置されている。二か所のグリッパー４２Ａの配置位置は、処理液ドラム４２の外周面４２Ｃにおいて半周分ずらされた位置である。
【００６９】
処理液ドラム４２は用紙Ｓが支持される外周面４２Ｃに用紙Ｓを固定させる構成を有している。処理液ドラム４２の外周面４２Ｃに用紙Ｓを固定させる構成の例として、処理液ドラム４２の外周面４２Ｃに複数の吸着穴が設けられ、複数の吸着穴に負圧を作用させる構成が挙げられる。
【００７０】
処理液ドラム４２には、上記以外は給紙ドラム４０と同様の構成を適用することができる。符号４２Ｂは処理液ドラム４２の回転軸である。
【００７１】
処理液付与装置４４にはローラ塗布方式を適用することができる。ローラ塗布方式の処理液付与装置４４として、処理液槽、計量ローラ、及び塗布ローラが備えられる構成を採用しうる。
【００７２】
処理液槽は処理液供給系を介して処理液タンクから供給された処理液が貯留される。計量ローラは処理液槽に貯留された処理液を計量する。計量ローラは計量された処理液を塗布ローラへ転写する。塗布ローラは用紙Ｓへ処理液を塗布する。
【００７３】
なお、ここで説明された処理液付与装置４４の構成はあくまでも一例であり、処理液付与装置４４には他の方式が適用されてもよい。また、処理液付与装置４４には他の構成が適用されてもよい。
【００７４】
処理液付与装置４４の他の方式の例として、ブレードを用いた塗布、インクジェット方式が用いられる吐出、又はスプレー方式が用いられる噴霧などが挙げられる。
【００７５】
グリッパー４２Ａが用いられて用紙Ｓの先端が把持された状態で処理液ドラム４２を回転させると、用紙Ｓは処理液ドラム４２の外周面４２Ｃに沿って搬送される。処理液ドラム４２の外周面４２Ｃに沿って搬送される用紙Ｓは、処理液付与装置４４が用いられて処理液が付与される。処理液が付与された用紙Ｓは処理液乾燥処理部１６へ送られる。
【００７６】
用紙Ｓに付与される処理液は、後段の描画部１８で用紙Ｓに吐出させるインク中の色材を凝集させる機能、又はインクの色材を不溶化させる機能を有している。用紙Ｓに処理液を付与してインクを吐出させることに起因して、汎用の用紙を用いても着弾干渉等を起こすことなく、高品位な画像形成を行うことができる。
【００７７】
処理液付与部１４が用いられて処理液が付与された用紙Ｓは、処理液乾燥処理部１６へ受け渡される。
【００７８】
なお、本明細書における吐出の用語は、打滴、画像形成、又は画像記録の用語と適宜読み替えることが可能である。
【００７９】
＜処理液乾燥処理部＞
処理液乾燥処理部１６は、処理液乾燥処理ドラム４６、用紙搬送ガイド４８、及び処理液乾燥処理ユニット５０を備えている。処理液乾燥処理ドラム４６はグリッパー４６Ａを備えている。グリッパー４６Ａには給紙ドラム４０のグリッパー４０Ａと同様の構成を適用することができる。
【００８０】
図１に示された処理液乾燥処理ドラム４６は給紙ドラム４０の直径の二倍の直径を有している。処理液乾燥処理ドラム４６はグリッパー４６Ａが二か所に配置されている。二か所のグリッパー４６Ａの配置位置は、処理液乾燥処理ドラム４６の外周面４６Ｃにおいて半周分ずらされた位置である。
【００８１】
処理液乾燥処理ドラム４６の上記以外の構成には、給紙ドラム４０と同様の構成を適用することができる。符号４６Ｂは処理液乾燥処理ドラム４６の回転軸である。
【００８２】
用紙搬送ガイド４８は処理液乾燥処理ドラム４６の外周面４６Ｃと対向する位置に配置される。用紙搬送ガイド４８は処理液乾燥処理ドラム４６の下側に配置される。
【００８３】
処理液乾燥処理ユニット５０は処理液乾燥処理ドラム４６の内部に配置される。処理液乾燥処理ユニット５０は処理液乾燥処理ドラム４６の外部に向けて風を送風する送風部、及び風を加熱する加熱部を備えている。図示の都合上、送風部、及び加熱部の符号は省略される。
【００８４】
処理液付与部１４から処理液乾燥処理部１６へ受け渡された用紙Ｓは、処理液乾燥処理ドラム４６のグリッパー４６Ａが用いられて先端を把持される。
【００８５】
用紙Ｓは、処理液が塗布された面を、処理液乾燥処理ドラム４６の外周面４６Ｃに向けた状態で、処理液が塗布された面の反対側の面を用紙搬送ガイド４８が用いられて支持される。処理液乾燥処理ドラム４６を回転させることに起因して、用紙Ｓは処理液乾燥処理ドラム４６の外周面４６Ｃに沿って搬送される。
【００８６】
処理液乾燥処理ドラム４６が用いられて搬送される用紙Ｓであり、用紙搬送ガイド４８が用いられて支持される用紙Ｓは、処理液乾燥処理ユニット５０から加熱された風が吹き当てられて乾燥処理が施される。
【００８７】
用紙Ｓに乾燥処理が施されると、用紙Ｓに付与された処理液中の溶媒成分が除去され、用紙Ｓの処理液が付与された面に処理液層が形成される。処理液乾燥処理部１６が用いられて乾燥処理が施された用紙Ｓは描画部１８へ受け渡される。
【００８８】
＜描画部＞
描画部１８は、描画ドラム５２、用紙押さえローラ５４、液体吐出ヘッド５６Ｃ、液体吐出ヘッド５６Ｍ、液体吐出ヘッド５６Ｙ、液体吐出ヘッド５６Ｋ、及びインラインセンサ５８を備えている。描画ドラム５２はグリッパー５２Ａを備えている。
【００８９】
グリッパー５２Ａは描画ドラム５２の外周面５２Ｃに設けられた凹部の内部に配置される。グリッパー５２Ａの配置以外の構成には給紙ドラム４０のグリッパー４０Ａと同様の構成を適用することができる。
【００９０】
描画ドラム５２は処理液乾燥処理ドラム４６と同様にグリッパー５２Ａが二か所に配置されている。二か所のグリッパー５２Ａの配置には処理液乾燥処理ドラム４６と同様の配置を適用することができる。
【００９１】
描画ドラム５２は、用紙Ｓが支持される外周面５２Ｃに吸着穴が配置される。吸着穴は用紙Ｓが吸着支持される媒体支持領域に配置される。なお、吸着穴、及び媒体支持領域の図示は省略される。
【００９２】
描画ドラム５２の上記以外の構成には、給紙ドラム４０と同様の構成を適用することができる。符号５２Ｂは描画ドラム５２の回転軸である。
【００９３】
用紙押さえローラ５４は円筒形状を有している。用紙押さえローラ５４の長手方向は描画ドラム５２の回転軸５２Ｂと平行になる方向である。用紙押さえローラ５４は長手方向について用紙Ｓの全長を超える長さを有している。
【００９４】
用紙押さえローラ５４は、描画ドラム５２における用紙Ｓの搬送方向について、用紙Ｓの受け渡し位置の下流側であり、液体吐出ヘッド５６Ｃの上流側に配置される。以下の説明において、用紙Ｓの搬送方向は、用紙搬送方向、又は媒体搬送方向と記載することがある。
【００９５】
液体吐出ヘッド５６Ｃ、液体吐出ヘッド５６Ｍ、液体吐出ヘッド５６Ｙ、及び液体吐出ヘッド５６Ｋは、インクジェット方式が用いられて液体を吐出させるノズル部を備えている。図１では、ノズル部の図示は省略される。ノズル部は図６に符号２８１が付されて図示される。
【００９６】
ここで、液体吐出ヘッドの符号に付されたアルファベットは色を表している。Ｃはシアンを表している。Ｍはマゼンタを表している。Ｙはイエローを表している。Ｋはブラックを表している。
【００９７】
液体吐出ヘッド５６Ｃ、液体吐出ヘッド５６Ｍ、液体吐出ヘッド５６Ｙ、及び液体吐出ヘッド５６Ｋは、描画ドラム５２の上側に配置される。液体吐出ヘッド５６Ｃ、液体吐出ヘッド５６Ｍ、液体吐出ヘッド５６Ｙ、及び液体吐出ヘッド５６Ｋは、用紙搬送方向に沿って、用紙搬送方向の上流側から、液体吐出ヘッド５６Ｃ、液体吐出ヘッド５６Ｍ、液体吐出ヘッド５６Ｙ、及び液体吐出ヘッド５６Ｋの順に配置される。
【００９８】
インラインセンサ５８は用紙搬送方向について液体吐出ヘッド５６Ｋの下流側の位置に配置される。インラインセンサ５８は撮像素子、撮像素子の周辺回路、及び光源を備えている。
【００９９】
撮像素子はＣＣＤイメージセンサやＣＭＯＳイメージセンサなどの固体撮像素子を適用することができる。撮像素子、撮像素子の周辺回路、及び光源の図示は省略される。ＣＣＤはCharge Coupled Deviceの省略語である。ＣＭＯＳはComplementary Metal-Oxide Semiconductorの省略語である。
【０１００】
撮像素子の周辺回路は、撮像素子の出力信号の処理回路を備えている。処理回路として、撮像素子の出力信号からノイズ成分を除去するフィルタ回路、増幅回路、又は波形整形回路などが挙げられる。フィルタ回路、増幅回路、又は波形整形回路の図示は省略される。
【０１０１】
光源はインラインセンサの読取対象物に照明光を照射可能な位置に配置される。光源にはＬＥＤやランプなどを適用することができる。ＬＥＤはlight emitting diodeの省略語である。
【０１０２】
処理液乾燥処理部１６から描画部１８へ受け渡された用紙Ｓは、描画ドラム５２のグリッパー５２Ａが用いられて先端が把持される。描画ドラム５２のグリッパー５２Ａが用いられて先端が把持された用紙Ｓは描画ドラム５２の回転が用いられて、描画ドラム５２の外周面５２Ｃに沿って搬送される。
【０１０３】
用紙Ｓは用紙押さえローラ５４の下を通過する際に、描画ドラム５２の外周面５２Ｃに押し当てられる。用紙押さえローラ５４の下を通過した用紙Ｓは、液体吐出ヘッド５６Ｃ、液体吐出ヘッド５６Ｍ、液体吐出ヘッド５６Ｙ、及び液体吐出ヘッド５６Ｋの直下において、液体吐出ヘッド５６Ｃ、液体吐出ヘッド５６Ｍ、液体吐出ヘッド５６Ｙ、及び液体吐出ヘッド５６Ｋのそれぞれから吐出させたカラーインクが用いられて画像が形成される。
【０１０４】
液体吐出ヘッド５６Ｃ、液体吐出ヘッド５６Ｍ、液体吐出ヘッド５６Ｙ、及び液体吐出ヘッド５６Ｋが用いられて画像が形成された用紙Ｓは、インラインセンサ５８の読取領域において、インラインセンサ５８が用いられて画像が読み取られる。
【０１０５】
インラインセンサ５８が用いられて画像が読み取られた用紙Ｓは描画部１８からインク乾燥処理部２０へ受け渡される。インラインセンサ５８が用いられた画像読取の結果から、吐出異常の有無の判断が可能である。
【０１０６】
＜インク乾燥処理部＞
インク乾燥処理部２０は、チェーングリッパー６４、インク乾燥処理ユニット６８、ガイドプレート７２を備えている。チェーングリッパー６４は第一スプロケット６４Ａ、第二スプロケット６４Ｂ、チェーン６４Ｃ、及び複数のグリッパー６４Ｄを備えている。
【０１０７】
チェーングリッパー６４は、一対の第一スプロケット６４Ａ、及び第二スプロケット６４Ｂに、一対の無端状のチェーン６４Ｃが巻き掛けられた構造を有している。図１には、一対の第一スプロケット６４Ａ、及び第二スプロケット６４Ｂ、並びに一対のチェーン６４Ｃのうち、一方のみが図示されている。
【０１０８】
チェーングリッパー６４は、一対のチェーン６４Ｃの間に複数のグリッパー６４Ｄが配置される構造を有している。また、チェーングリッパー６４は用紙搬送方向における複数の位置に複数のグリッパー６４Ｄが配置される構造を有している。図１には、一対のチェーン６４Ｃの間に配置される複数のグリッパー６４Ｄのうち、一つのグリッパー６４Ｄのみが図示されている。
【０１０９】
図１に示されたチェーングリッパー６４は、用紙Ｓを水平方向に沿って搬送する水平搬送領域、及び用紙Ｓを斜め上方向に搬送する傾斜搬送領域が含まれる。
【０１１０】
インク乾燥処理ユニット６８はチェーングリッパー６４における用紙Ｓの搬送経路の上に配置される。インク乾燥処理ユニット６８の構成例として、ハロゲンヒータ、赤外線ヒータ等の熱源を含む構成が挙げられる。インク乾燥処理ユニット６８の他の構成例として、熱源が用いられて熱せられた空気を用紙Ｓへ吹き付けるファンを含む構成が挙げられる。インク乾燥処理ユニット６８は熱源、及びファンを含む構成とされてもよい。
【０１１１】
ガイドプレート７２の詳細な図示は省略されるが、ガイドプレート７２は板状の部材が適用される。ガイドプレート７２は用紙搬送方向と直交する方向について、用紙Ｓの全長を超える長さを有している。
【０１１２】
ガイドプレート７２は、チェーングリッパー６４が用いられる用紙Ｓの水平搬送領域における搬送経路に沿って配置される。ガイドプレート７２は、チェーングリッパー６４が用いられる用紙Ｓの搬送経路の下側に配置される。ガイドプレート７２は用紙搬送方向について、インク乾燥処理ユニット６８の処理領域の長さに対応する長さを有している。
【０１１３】
インク乾燥処理ユニット６８の処理領域の長さに対応する長さとは、インク乾燥処理ユニット６８の処理の際に、ガイドプレート７２が用いられる用紙Ｓの支持が可能なガイドプレート７２の長さである。
【０１１４】
例えば、用紙搬送方向について、インク乾燥処理ユニット６８の処理領域の長さとガイドプレート７２の長さを同一にする態様が挙げられる。ガイドプレート７２は、用紙Ｓを吸着支持する機能を備えてもよい。
【０１１５】
描画部１８からインク乾燥処理部２０に受け渡された用紙Ｓは、グリッパー６４Ｄが用いられて先端が把持される。第一スプロケット６４Ａ、及び第二スプロケット６４Ｂの少なくともいずれか一方を、図１における時計回りに回転させてチェーン６４Ｃを走行させると、用紙Ｓはチェーン６４Ｃの走行経路に沿って搬送される。
【０１１６】
用紙Ｓがインク乾燥処理ユニット６８の処理領域を通過する際に、用紙Ｓに対してインク乾燥処理ユニット６８が用いられてインク乾燥処理が施される。
【０１１７】
インク乾燥処理ユニット６８が用いられてインク乾燥処理が施された用紙Ｓは、チェーングリッパー６４が用いられて搬送され、排紙部２４へ送られる。
【０１１８】
図１に示されたチェーングリッパー６４は、用紙搬送方向におけるインク乾燥処理ユニット６８の下流側の位置において、用紙Ｓを図１における左斜め上方向へ搬送させる。用紙Ｓを図１における左斜め上方向へ搬送させる傾斜搬送領域の搬送経路には、ガイドプレート７３が配置される。
【０１１９】
ガイドプレート７３には、ガイドプレート７２と同様の部材を適用することができる。ガイドプレート７３の構造、及び機能の説明は省略される。
【０１２０】
＜排紙部＞
排紙部２４は、排紙台７６を備えている。排紙部２４における用紙Ｓの搬送にはチェーングリッパー６４が適用される。
【０１２１】
排紙台７６はチェーングリッパー６４が用いられる用紙Ｓの搬送経路の下側の位置に配置される。排紙台７６は図示されない昇降機構を含む構成が可能である。排紙台７６は、積載される用紙Ｓの増減に応じて昇降させて、最上位に位置する用紙Ｓの高さを一定に保つことができる。
【０１２２】
排紙部２４は画像形成の一連の処理がされた用紙Ｓを回収する。用紙Ｓが排紙台７６の位置に到達すると、グリッパー６４Ｄは用紙Ｓの把持を開放する。用紙Ｓは排紙台７６に積載される。
【０１２３】
図１では、処理液付与部１４、及び処理液乾燥処理部１６を備えたインクジェット記録装置１０が示されたが、処理液付与部１４、及び処理液乾燥処理部１６が省略される態様も可能である。
【０１２４】
また、図１では、描画後の用紙Ｓを搬送する構成としてチェーングリッパー６４が例示されているが、描画後の用紙Ｓを搬送する構成には、ベルト搬送、又は搬送ドラム搬送など他の構成が適用されてもよい。
【０１２５】
＜制御系の説明＞
図２は制御系の概略構成が示されるブロック図である。図２に示されるように、インクジェット記録装置１０は、システムコントローラ１００を備えている。システムコントローラ１００は、ＣＰＵ１００Ａ、ＲＯＭ１００Ｂ、及びＲＡＭ１００Ｃを備えている。
【０１２６】
図２に示されたＲＯＭ１００Ｂ、及びＲＡＭ１００Ｃは、ＣＰＵの外部に設けられていてもよい。ＣＰＵはCentral Processing Unitの省略語である。ＲＯＭはRead Only Memoryの省略語である。ＲＡＭはRandom Access Memoryの省略語である。
【０１２７】
システムコントローラ１００は、インクジェット記録装置１０の各部を統括的に制御する全体制御部として機能する。また、システムコントローラ１００は、各種演算処理を行う演算部として機能する。システムコントローラ１００は、プログラムを実行して、インクジェット記録装置１０の各部を制御してもよい。
【０１２８】
更に、システムコントローラ１００は、ＲＯＭ１００Ｂ、及びＲＡＭ１００Ｃなどのメモリにおけるデータの読み出し、及びデータの書き込みを制御するメモリーコントローラとして機能する。
【０１２９】
インクジェット記録装置１０は、通信部１０２、画像メモリ１０４、搬送制御部１１０、給紙制御部１１２、処理液付与制御部１１４、処理液乾燥制御部１１６、描画制御部１１８、インク乾燥制御部１２０、及び排紙制御部１２４を備えている。
【０１３０】
通信部１０２は、図示されない通信インターフェースを備えている。通信部１０２は通信インターフェースと接続されたホストコンピュータ１０３との間でデータの送受信を行うことができる。
【０１３１】
画像メモリ１０４は、画像データを含む各種データの一時記憶部として機能する。画像メモリ１０４は、システムコントローラ１００を通じてデータの読み書きが行われる。通信部１０２を介してホストコンピュータ１０３から取り込まれた画像データは、一旦画像メモリ１０４に格納される。
【０１３２】
搬送制御部１１０は、インクジェット記録装置１０における用紙Ｓの搬送部１１の動作を制御する。図２に示された搬送部１１には、図１に示された処理液ドラム４２、処理液乾燥処理ドラム４６、描画ドラム５２、及びチェーングリッパー６４が含まれる。
【０１３３】
図２に示された給紙制御部１１２は、システムコントローラ１００からの指令に応じて給紙部１２を動作させる。給紙制御部１１２は、用紙Ｓの供給開始動作、及び用紙Ｓの供給停止動作などを制御する。
【０１３４】
処理液付与制御部１１４は、システムコントローラ１００からの指令に応じて処理液付与部１４を動作させる。処理液付与制御部１１４は、処理液の付与量、及び付与タイミングなどを制御する。
【０１３５】
処理液乾燥制御部１１６は、システムコントローラ１００からの指令に応じて処理液乾燥処理部１６を動作させる。処理液乾燥制御部１１６は、乾燥温度、乾燥気体の流量、及び乾燥気体の噴射タイミングなどを制御する。
【０１３６】
描画制御部１１８は、システムコントローラ１００からの指令に応じて、描画部１８の動作を制御する。すなわち、描画制御部１１８は、図１に示された液体吐出ヘッド５６Ｃ、液体吐出ヘッド５６Ｍ、液体吐出ヘッド５６Ｙ、及び液体吐出ヘッド５６Ｋのインク吐出を制御する。
【０１３７】
描画制御部１１８は、図示されない画像処理部を備えている。画像処理部は入力画像データからドットデータを形成する。画像処理部は、図示されない色分解処理部、色変換処理部、補正処理部、及びハーフトーン処理部を備えている。
【０１３８】
色分解処理部では、入力画像データに対して色分解処理が施される。例えば、入力画像データがＲＧＢで表されている場合、入力画像データがＲ、Ｇ、及びＢの色ごとのデータに分解される。ここで、Ｒは赤を表す。Ｇは緑を表す。Ｂは青を表す。
【０１３９】
色変換処理部では、Ｒ、Ｇ、及びＢに分解された色ごとの画像データを、インク色に対応するＣ、Ｍ、Ｙ、及びＫに変換される。ここで、Ｃはシアンを表す。Ｍはマゼンタを表す。Ｙはイエローを表す。Ｋはブラックを表す。
【０１４０】
補正処理部では、Ｃ、Ｍ、Ｙ、及びＫに変換された色ごとの画像データに対して補正処理が施される。補正処理の例として、ガンマ補正処理、濃度むら補正処理、又は異常記録素子補正処理などが挙げられる。
【０１４１】
ハーフトーン処理部では、例えば、０から２５５といった多階調数で表された画像データが、二値、又は入力画像データの階調数未満の三値以上の多値で表されるドットデータに変換される。
【０１４２】
ハーフトーン処理部では、予め決められたハーフトーン処理規則が適用される。ハーフトーン処理規則の例として、ディザ法、又は誤差拡散法などが挙げられる。ハーフトーン処理規則は、画像記録条件、又は画像データの内容等に応じて変更されてもよい。
【０１４３】
描画制御部１１８は、図示されない波形生成部、波形記憶部、及び駆動回路を備えている。波形生成部は駆動電圧の波形を生成する。波形記憶部は駆動電圧の波形が記憶される。駆動回路はドットデータに応じた駆動波形を有する駆動電圧を生成する。駆動回路は駆動電圧を、図１に示された液体吐出ヘッド５６Ｃ、液体吐出ヘッド５６Ｍ、液体吐出ヘッド５６Ｙ、及び液体吐出ヘッド５６Ｋへ供給する。
【０１４４】
すなわち、画像処理部が用いられる処理を経て生成されたドットデータに基づいて、各画素位置の吐出タイミング、インク吐出量が決められ、各画素位置の吐出タイミング、インク吐出量に応じた駆動電圧、各画素の吐出タイミングを決める制御信号が生成され、この駆動電圧が液体吐出ヘッドへ供給され、液体吐出ヘッドから吐出させたインクが用いられてドットが記録される。
【０１４５】
インク乾燥制御部１２０は、システムコントローラ１００からの指令に応じてインク乾燥処理部２０を動作させる。インク乾燥制御部１２０は、乾燥気体温度、乾燥気体の流量、又は乾燥気体の噴射タイミングなどを制御する。
【０１４６】
排紙制御部１２４は、システムコントローラ１００からの指令に応じて排紙部２４を動作させる。排紙制御部１２４は、図１に示された排紙台７６が昇降機構を含む場合に、用紙Ｓの増減に応じて昇降機構の動作を制御する。
【０１４７】
図２に示されたインクジェット記録装置１０は、メンテナンス制御部１２６を備えている。メンテナンス制御部１２６は、システムコントローラ１００からの指令に応じてメンテナンス部２８の動作を制御する。メンテナンス部２８の詳細、及びメンテナンス部２８を用いたメンテナンスの詳細は後述される。
【０１４８】
図２に示されたインクジェット記録装置１０は、操作部１３０、表示部１３２、パラメータ記憶部１３４、及びプログラム格納部１３６を備えている。
【０１４９】
操作部１３０は、操作ボタン、キーボード、又はタッチパネル等の操作部材を備えている。操作部１３０は複数の種類の操作部材が含まれていてもよい。操作部材の図示は省略される。
【０１５０】
操作部１３０を介して入力された情報は、システムコントローラ１００に送られる。システムコントローラ１００は、操作部１３０から送出された情報に応じて各種処理を実行させる。
【０１５１】
表示部１３２は、液晶パネル等の表示装置、及びディスプレイドライバーを備えている。表示装置、及びディスプレイドライバーの図示は省略される。表示部１３２はシステムコントローラ１００からの指令に応じて、装置の各種設定情報、又は異常情報などの各種情報を表示装置に表示させる。
【０１５２】
パラメータ記憶部１３４は、インクジェット記録装置１０に使用される各種パラメータが記憶される。パラメータ記憶部１３４に記憶されている各種パラメータは、システムコントローラ１００を介して読み出され、装置各部に設定される。
【０１５３】
プログラム格納部１３６は、インクジェット記録装置１０の各部に使用されるプログラムが格納される。プログラム格納部１３６に格納されている各種プログラムは、システムコントローラ１００を介して読み出され、装置各部において実行される。
【０１５４】
図２には機能ごとに各部が列挙されている。図２に示された各部は適宜、統合、分離、兼用、又は省略が可能である。また、図２に示された各部はハードウエアとソフトウエアとを適宜組み合わせて構成することができる。
【０１５５】
［液体吐出ヘッドの構造］
＜全体構成＞
図３は液体吐出ヘッドの構造例が示される透視平面図である。図３に示された液体吐出ヘッド５６は、用紙Ｓの搬送方向と直交する方向である用紙Ｓの幅方向について複数のヘッドモジュール２００を繋ぎ合わせた構造を有している。
【０１５６】
図３に示された液体吐出ヘッド５６は、図１に示された液体吐出ヘッド５６Ｃ、液体吐出ヘッド５６Ｍ、液体吐出ヘッド５６Ｙ、及び液体吐出ヘッド５６Ｋのうちの任意の一つである。以下、符号が付されていない液体吐出ヘッドも同様である。
【０１５７】
用紙Ｓの幅方向は符号Ｘが付された矢印線を用いて図示される。用紙Ｓの搬送方向は符号Ｙが付された矢印線を用いて図示される。
【０１５８】
図３に示された液体吐出ヘッド５６は、用紙Ｓの幅方向における用紙Ｓの全長Ｌｍａｘ以上の長さにわたって、複数のノズル部が配置されたライン型の液体吐出ヘッドである。図３に図示されないノズル部は図６に符号２８１が付されて図示される。
【０１５９】
液体吐出ヘッド５６を構成する複数のヘッドモジュール２００は同一の構造を適用可能である。また、ヘッドモジュール２００は単体でも液体吐出ヘッドとして機能させることが可能である。
【０１６０】
＜ヘッドモジュールの構造＞
図４はヘッドモジュール斜視図であり部分断面図を含む図である。
【０１６１】
ヘッドモジュール２００は、ノズルプレート２７５の液体吐出面２７７と反対側である図４における上面の側に、インク供給室２３２とインク循環室２３６等からなるインク供給ユニットを有している。
【０１６２】
インク供給室２３２は、供給側個別流路２５２を介して不図示のインクタンクに接続され、インク循環室２３６は、回収側個別流路２５６を介して不図示の回収タンクに接続される。
【０１６３】
図５はヘッドモジュールの液体吐出面の透視平面図である。図５では液体吐出面２７７に配置されるノズル開口２８０の数が省略されて描かれているが、一つのヘッドモジュール２００の液体吐出面２７７には、二次元配置が適用されて複数のノズル開口２８０が配置されている。
【０１６４】
ヘッドモジュール２００は、媒体搬送方向と直交する方向に対して角度βの傾きを有するＶ方向に沿った長辺側の端面と、媒体搬送方向に対して角度αの傾きを持つＷ方向に沿った短辺側の端面とを有する平行四辺形の平面形状となっており、Ｖ方向に沿う行方向、及びＷ方向に沿う列方向について、複数のノズル開口２８０がマトリクス配置されている。
【０１６５】
ノズル開口２８０の配置は図５に図示された態様に限定されず、媒体搬送方向と直交する方向に沿う行方向、及び媒体搬送方向と直交する方向に対して斜めに交差する列方向に沿って複数のノズル開口２８０が配置されてもよい。
【０１６６】
ノズル開口２８０のマトリクス配置とは、複数のノズル開口２８０を媒体搬送方向と直交する方向に投影させて、複数のノズル開口２８０を媒体搬送方向と直交する方向に沿って配置させた媒体搬送方向と直交する方向の投影ノズル列において、ノズル開口２８０の配置間隔が均一となるノズル開口２８０の配置である。
【０１６７】
図６は液体吐出ヘッドの内部構造が示される断面図である。符号２１４はインク供給路、符号２１８は圧力室、符号２１６は各圧力室２１８とインク供給路２１４とを繋ぐ個別供給路、符号２２０は圧力室２１８からノズル開口２８０に繋がるノズル連通路、符号２２６はノズル連通路２２０と循環共通流路２２８とを繋ぐ循環個別流路である。圧力室２１８は、液室と呼ばれることがある。
【０１６８】
インク供給路２１４、個別供給路２１６、圧力室２１８、ノズル連通路２２０、循環個別流路２２６、及び循環共通流路２２８を構成する流路構造体２１０の上に、振動板２６６が設けられる。振動板２６６の上には接着層２６７を介して、下部電極２６５、圧電体層２３１、及び上部電極２６４の積層構造から成る圧電素子２３０が配設されている。下部電極２６５は共通電極と呼ばれることがあり、上部電極２６４は個別電極と呼ばれることがある。
【０１６９】
上部電極２６４は、各圧力室２１８の形状に対応してパターニングされた個別電極となっており、圧力室２１８ごとに、それぞれ圧電素子２３０が設けられている。
【０１７０】
インク供給路２１４は、図４に示されたインク供給室２３２に繋がっており、図６に示されたインク供給路２１４から個別供給路２１６を介して圧力室２１８にインクが供給される。
【０１７１】
入力画像データに応じて、対応する圧力室２１８に設けられた圧電素子２３０の上部電極２６４に駆動電圧を印加することに起因して、圧電素子２３０及び振動板２６６が変形して圧力室２１８の容積が変化し、これに伴う圧力変化に起因してノズル連通路２２０を介してノズル開口２８０からインクが打滴される。
【０１７２】
入力画像データから生成されるドット配置データに応じて各ノズル開口２８０に対応した圧電素子２３０の駆動を制御することに起因して、ノズル開口２８０からインクを打滴させることができる。
【０１７３】
用紙Ｓを一定の速度で媒体搬送方向に搬送しながら、その搬送速度に合わせて各ノズル開口２８０からのインクの打滴タイミングが制御されることに起因して、用紙Ｓの上に所望の画像を記録することができる。
【０１７４】
各ノズル開口２８０に対応して設けられている圧力室２１８は、その平面形状が概略正方形となっており、対角線上の両隅部の一方にノズル開口２８０への流出口が設けられ、他方に供給インクの流入口である個別供給路２１６が設けられている。圧力室２１８の平面形状の図示は省略される。
【０１７５】
なお、圧力室の平面形状は、正方形に限定されない。圧力室の平面形状は、菱形、長方形などの四角形、五角形、六角形その他の多角形、円形、及び楕円形など、多様な形態があり得る。
【０１７６】
ノズル開口２８０、及びノズル連通路２２０を含むノズル部２８１には、循環出口が形成され、ノズル部２８１は循環出口を介して循環個別流路２２６と連通される。ノズル連通路２２０、及びノズル開口２８０のインクのうち、打滴に使用されないインクは循環個別流路２２６を介して循環共通流路２２８へ回収される。
【０１７７】
循環共通流路２２８は、図４に示されたインク循環室２３６に繋がっており、循環個別流路２２６を通って常時インクが循環共通流路２２８へ回収されることに起因して、非打滴時におけるノズル開口２８０近傍のインクの増粘が防止される。
【０１７８】
ヘッドモジュールに備えられる吐出素子の一態様として、一つのノズル部２８１、及び一つのノズル部２８１に連通される圧力室２１８などの流路、ノズル部２８１に対応する圧電素子２３０が含まれる態様が挙げられる。
【０１７９】
本明細書におけるノズル部はノズル開口を含む概念を表している。本明細書においてノズル開口の用語とノズル部の用語とは、適宜、読み替えることが可能である。
【０１８０】
圧電素子２３０の例として、ノズル部２８１に対応して個別に分離した構造を有する圧電素子２３０が挙げられる。もちろん、複数のノズル部２８１に対して一体に圧電体層２３１が形成され、各ノズル部２８１に対応して個別電極が形成され、ノズル部２８１ごとに活性領域が形成される構造を適用してもよい。
【０１８１】
圧電素子に代わり圧力発生素子として圧力室２１８の内部にヒータを備え、ヒータに駆動電圧を供給して発熱させ、膜沸騰現象を利用して圧力室２１８内のインクをノズル開口２８０から打滴するサーマル方式が適用されてもよい。
【０１８２】
［液体吐出ヘッド支持部の構成例］
図７は液体吐出ヘッド支持部の構成例を示す描画部の側面図である。図７には、用紙搬送方向における描画部１８の上流側の位置に配置される処理液乾燥処理ドラム４６、及び用紙搬送方向における描画部１８の下流側の位置に配置されるチェーングリッパー６４の一部が図示される。
【０１８３】
図７に示された液体吐出ヘッド５６Ｃ、液体吐出ヘッド５６Ｍ、液体吐出ヘッド５６Ｙ、及び液体吐出ヘッド５６Ｋは、ヘッド支持部１５に取り付けられている。なお、図７には、符号１が付されて水平面が図示されている。
【０１８４】
図８は描画部の正面図である。ヘッド支持部１５は、描画ドラム５２の回転軸５２Ｂと直交する方向に配置された一対のサイドプレート８２Ｌ、及びサイドプレート８２Ｒ、並びに一対のサイドプレート８２Ｌ、及びサイドプレート８２Ｒを上端部において連結する連結フレーム８４を含んで構成されている。
【０１８５】
一対のサイドプレート８２Ｌ、及びサイドプレート８２Ｒは、板状に形成されており、描画ドラム５２を挟んで互いに対向する位置に配置されている。一対のサイドプレート８２Ｌ、及びサイドプレート８２Ｒの内側面には、液体吐出ヘッド５６Ｃを取り付ける取付部８６Ｃ、液体吐出ヘッド５６Ｍを取り付ける取付部８６Ｍ、液体吐出ヘッド５６Ｙを取り付ける取付部８６Ｙ、及び液体吐出ヘッド５６Ｋを取り付ける取付部８６Ｋが備えられている。なお、図８には、取付部８６Ｙ、及び取付部８６Ｋが図示され、取付部８６Ｃ、及び取付部８６Ｍの図示は省略される。
【０１８６】
図示されない取付部８６Ｃ、及び取付部８６Ｍ、並びに図８に示された取付部８６Ｙ、取付部８６Ｋは、描画ドラム５２の回転軸５２Ｂを中心とした同心円上に一定の間隔をもって放射状に配置されている。
【０１８７】
液体吐出ヘッド５６Ｙの長手方向の両端に形成された被取付部８８Ｙを取付部８６Ｙに固定することに起因して、液体吐出ヘッド５６Ｙはヘッド支持部１５に取り付けられる。また、液体吐出ヘッド５６Ｋの長手方向の両端に形成された被取付部８８Ｋを取付部８６Ｋに固定することに起因して、液体吐出ヘッド５６Ｋはヘッド支持部１５に取り付けられる。
【０１８８】
図示は省略されるが、液体吐出ヘッド５６Ｃの長手方向の両端に形成された被取付部８８Ｃを取付部８６Ｃに固定することに起因して、液体吐出ヘッド５６Ｃはヘッド支持部１５に取り付けられる。また、液体吐出ヘッド５６Ｍの長手方向の両端に形成された被取付部８８Ｍを取付部８６Ｍに固定することに起因して、液体吐出ヘッド５６Ｍはヘッド支持部１５に取り付けられる。
【０１８９】
そして、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、ヘッド支持部１５に取り付けられることに起因して、描画ドラム５２の回転軸５２Ｂを中心とした同心円上に一定の間隔をもって放射状に配置される。
【０１９０】
図８に図示されない液体吐出ヘッド５６Ｃ、及び液体吐出ヘッド５６Ｍ、並びに図８に示される液体吐出ヘッド５６Ｙ、及び液体吐出ヘッド５６Ｋが取り付けられるヘッド支持部１５は、図示されないガイドレールにガイドされて、描画ドラム５２の回転軸５２Ｂに平行となる方向にスライド移動自在に設けられている。なお、描画ドラム５２の回転軸５２Ｂに平行となる方向は、水平方向に平行となるである。
【０１９１】
そして、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、図示されないリニア駆動手段に駆動されて、実線が用いられて示される描画位置と、破線が用いられて示されるメンテナンス位置との間を移動自在に設けられている。
【０１９２】
図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、ヘッド支持部１５を描画位置に位置させることに起因して、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、描画ドラム５２の周囲に配置され、描画が可能な状態になる。
【０１９３】
一方、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、ヘッド支持部１５をメンテナンス位置に位置させることに起因して、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは、描画ドラム５２から退避する。
【０１９４】
メンテナンス位置には、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋを保湿するための保湿ユニット９４が設けられている。
【０１９５】
図８に図示されない液体吐出ヘッド５６Ｃ、及び液体吐出ヘッド５６Ｍ、並びに図８に示される液体吐出ヘッド５６Ｙ、及び液体吐出ヘッド５６Ｋが長時間使用されない場合は、ヘッド支持部１５をメンテナンス位置に位置させ、保湿ユニット９４を用いて図８に図示されない液体吐出ヘッド５６Ｃ、及び液体吐出ヘッド５６Ｍ、並びに図８に示される液体吐出ヘッド５６Ｙ、及び液体吐出ヘッド５６Ｋは保湿される。これにより、乾燥に起因する、図８に図示されない液体吐出ヘッド５６Ｃ、及び液体吐出ヘッド５６Ｍ、並びに図８に示される液体吐出ヘッド５６Ｙ、及び液体吐出ヘッド５６Ｋの不吐出が防止される。
【０１９６】
描画位置とメンテナンス位置との間には、図８に図示されない液体吐出ヘッド５６Ｃの液体吐出面２７７Ｃ、及び液体吐出ヘッド５６Ｍの液体吐出面２７７Ｍ、並びに図８に示される液体吐出ヘッド５６Ｙの液体吐出面２７７Ｙ、及び液体吐出ヘッド５６Ｋの液体吐出面２７７Ｋを清掃するヘッドクリーニングユニット９０が設けられている。ヘッドクリーニングユニット９０は払拭装置の一態様である。
【０１９７】
図８に図示されない液体吐出ヘッド５６Ｃは、描画位置からメンテナンス位置に移動する際に、液体吐出面２７７Ｃに払拭ウエブが押圧当接される。また、図８に図示されない液体吐出ヘッド５６Ｍは、描画位置からメンテナンス位置に移動する際に、液体吐出面２７７Ｍに払拭ウエブが押圧当接される。
【０１９８】
同様に、図８に示される液体吐出ヘッド５６Ｙは、描画位置からメンテナンス位置に移動する際に、液体吐出面２７７Ｙに払拭ウエブが押圧当接される。また、図８に示される液体吐出ヘッド５６Ｋは、描画位置からメンテナンス位置に移動する際に、液体吐出面２７７Ｋに払拭ウエブが押圧当接される。
【０１９９】
これにより、図８に図示されない液体吐出ヘッド５６Ｃの液体吐出面２７７Ｃ、及び図８に図示されない液体吐出ヘッド５６Ｍの液体吐出面２７７Ｍ、並びに図８に示される液体吐出ヘッド５６Ｙの液体吐出面２７７Ｙ、及び図８に示される液体吐出ヘッド５６Ｋの液体吐出面２７７Ｋが払拭清掃される。払拭ウエブは、払拭シートの一態様である。
【０２００】
なお、図８に符号３９３が付されて図示された部材は、ヘッドクリーニングユニット９０のラックである。また。符号５２Ｅが付されて図示された部材は、軸受である。符号５２Ｄが付されて図示された部材は、本体フレームである。描画ドラム５２は、回転軸５２Ｂが本体フレーム５２Ｄに備えられた軸受５２Ｅに軸支されて、水平に配置されている。
【０２０１】
［ヘッドクリーニングユニットの構成］
図９は、ヘッドクリーニングユニットの構成を示す側面図である。図９に示されたヘッドクリーニングユニット９０は、液体吐出ヘッド５６Ｃに対応して設けられたクリーナ３００Ｃ、液体吐出ヘッド５６Ｍに対応して設けられたクリーナ３００Ｍ、液体吐出ヘッド５６Ｙに対応して設けられたクリーナ３００Ｙ、及び液体吐出ヘッド５６Ｋに対応して設けられたクリーナ３００Ｋを備えている。
【０２０２】
また、ヘッドクリーニングユニット９０は、クリーナ３００Ｃ、クリーナ３００Ｍ、クリーナ３００Ｙ、及びクリーナ３００Ｋがセットされるラック３９３を備えている。
【０２０３】
ラック３９３は、上端部が開口した箱状に形成されており、その内部にクリーナ３００Ｃを装着する装着部９５Ｃ、クリーナ３００Ｍを装着する装着部９５Ｍ、クリーナ３００Ｙを装着する装着部９５Ｙ、及びクリーナ３００Ｋを装着する装着部９５Ｋが形成されている。
【０２０４】
クリーナ３００Ｃは、装着部９５Ｃの上端開口部から鉛直下向きに差し込むことに起因して、装着部９５Ｃにセットされる。クリーナ３００Ｍは、装着部９５Ｍの上端開口部から鉛直下向きに差し込むことに起因して、装着部９５Ｍにセットされる。クリーナ３００Ｙは、装着部９５Ｙの上端開口部から鉛直下向きに差し込むことに起因して、装着部９５Ｙにセットされる。クリーナ３００Ｋは、装着部９５Ｋの上端開口部から鉛直下向きに差し込むことに起因して、装着部９５Ｋにセットされる。
【０２０５】
ラック３９３は、インクジェット記録装置の図示されない装置本体フレームに設けられた、図示されない昇降装置に支持されて、水平面に対して垂直に昇降移動自在に設けられている。
【０２０６】
図９に破線が用いられて図示された円弧は、図８に示された描画ドラム５２を模式的に表している。図９に図示された一点鎖線は、水平面に平行となる面を表している。クリーナ３００Ｃ、クリーナ３００Ｍ、クリーナ３００Ｙ、及びクリーナ３００Ｋに備えられる、符号３１２が付された部材はケースである。
【０２０７】
符号３１０が付された部材は払拭ウエブである。符号３１８が付された部材は押圧ローラである。符号３５８が付された部材は巻取ギアである。符号３７８が付された部材は昇降レバーである。
【０２０８】
符号３８２が付された部材はピンである。符号３８６が付された部材はローラ駆動ギアである。符号３８８が付された部材はアイドルギアである。符号３９２が付された部材は駆動ギアである。符号３９４が付された部材はモータである。
【０２０９】
ヘッドクリーニングユニット９０に備えられるクリーナ３００Ｃ、クリーナ３００Ｍ、クリーナ３００Ｙ、及びクリーナ３００Ｋの詳細は後述される。図９に示されたクリーナ３００Ｃ、クリーナ３００Ｍ、クリーナ３００Ｙ、及びクリーナ３００Ｋは、液体吐出ヘッドごとの払拭装置として機能させることが可能である。
【０２１０】
［クリーナの構成］
次に、クリーナ３００Ｃ、クリーナ３００Ｍ、クリーナ３００Ｙ、及びクリーナ３００Ｋの構成について説明がされる。なお、クリーナ３００Ｃ、クリーナ３００Ｍ、クリーナ３００Ｙ、及びクリーナ３００Ｋの基本構成は共通しているので、ここでは、クリーナ３００Ｃ、クリーナ３００Ｍ、クリーナ３００Ｙ、及びクリーナ３００Ｋは、クリーナ３００として説明がされる。
【０２１１】
図１０はクリーナの正面図である。図１１はクリーナの背面図である。図１２はクリーナの平面図である。図１０、及び図１１では、図９に示されたケース３１２の図示が省略されている。
【０２１２】
図１０に示されたクリーナ３００は、払拭ウエブ収納容器４００、前段ガイド３２０、押圧ローラ３１８、後段ガイド３２２、及び巻取軸３１６を備えている。前段ガイド３２０、押圧ローラ３１８、後段ガイド３２２、及び巻取軸３１６は、払拭シート走行部の構成要素である。
【０２１３】
払拭ウエブ収納容器４００は、ロール状に巻かれた状態の払拭ウエブ３１０が収納される容器である。払拭ウエブ収納容器４００は、出口４０２が上向きとなる姿勢でクリーナ３００に装着される。払拭ウエブ収納容器４００は、クリーナ３００から取外しが可能である。
【０２１４】
払拭ウエブ収納容器４００の中に払拭ウエブ３１０をコンパクトに収納することが可能である。払拭ウエブ収納容器４００は気密性を有する材料が用いられる。払拭ウエブ収納容器４００の材料の例として、金属、及び樹脂が挙げられる。
【０２１５】
払拭ウエブ収納容器４００は、出口４０２を除いた領域である非出口領域が気密性を有する構造が適用される。払拭ウエブ収納容器４００は、非出口領域において気密性が確保されていればよい。
【０２１６】
前段ガイド３２０、押圧ローラ３１８、及び後段ガイド３２２は、払拭ウエブ３１０の走行方向について、前段ガイド３２０、押圧ローラ３１８、及び後段ガイド３２２の順に配置される。払拭ウエブ３１０の走行方向は、前段ガイド３２０、押圧ローラ３１８、及び後段ガイド３２２を経由して、払拭ウエブ収納容器４００から巻取軸３１６へ向かう方向である。
【０２１７】
前段ガイド３２０は、第一前段ガイド３６０、及び第二前段ガイド３６２を備えている。第一前段ガイド３６０、及び第二前段ガイド３６２は、払拭ウエブ収納容器４００から繰り出された払拭ウエブ３１０をガイドする。
【０２１８】
第一前段ガイド３６０は、図７に示された水平面１に対して直交する方向に延びる板状の部材が適用される。第一前段ガイド３６０の上縁は上向きに凸となる曲面とされる。第一前段ガイド３６０の上縁は、図７に示された水平面１に対して傾斜している。第一前段ガイド３６０は、払拭ウエブ３１０の走行方向を上向き方向から水平方向へ変換させる。
【０２１９】
第二前段ガイド３６２は、長手方向の一方の端に、図１０に図示されないフランジ部を有し、長手方向の他方の端にフランジ部３６２Ｒをするガイドローラが適用される。図１０に図示されないフランジ部は、ブラケット３６８Ａを用いて支持される。なお、図１０に図示されないフランジ部は、図１２に符号３６２Ｌが付されて図示される。
【０２２０】
第二前段ガイド３６２は、第一前段ガイド３６０と押圧ローラ３１８との間に配置される。第二前段ガイド３６２は、払拭ウエブ３１０の走行方向を微調整する。
【０２２１】
押圧ローラ３１８は、払拭ウエブ収納容器４００の上部の位置に配置される。図１０に示された押圧ローラ３１８は、払拭ウエブの繰出軸４０４、及び巻取軸３１６と同一直線上に配置される。
【０２２２】
押圧ローラ３１８は、図７に示された水平面１に対して傾斜して配置される。水平面１に対する図１０に示された押圧ローラ３１８の傾斜は、図７に示された水平面１に対する払拭対象の液体吐出ヘッドの液体吐出面２７７の傾斜に対応している。
【０２２３】
換言すると、図１０に示された押圧ローラ３１８は、液体吐出ヘッドの液体吐出面と平行に配置される。ここでいう液体吐出ヘッドの液体吐出面は、図９に示された液体吐出ヘッド５６Ｃの液体吐出面２７７Ｃ、液体吐出ヘッド５６Ｍの液体吐出面２７７Ｍ、液体吐出ヘッド５６Ｙの液体吐出面２７７Ｙ、及び液体吐出ヘッド５６Ｋの液体吐出面２７７Ｋの任意の一つである。以下、符号が付されない液体吐出面も同様である。
【０２２４】
押圧ローラ３１８は、長手方向の一方の端に図示されない第一軸部を備えている。第一軸部は、押圧ローラ３１８の長手方向の一方の端から突出している。また、押圧ローラ３１８は、長手方向の他方の端に図示されない第二軸部を備えている。第二軸部は、押圧ローラ３１８の長手方向の他方の端から突出している。
【０２２５】
第一軸部は、第一軸支持部３４６Ｌを用いて支持される。第二軸部は、第二軸支持部３４６Ｒを用いて支持される。押圧ローラ３１８は、第一軸支持部３４６Ｌ、及び第二軸支持部３４６Ｒを用いて、回動自在、且つ、揺動自在に支持される。
【０２２６】
クリーナ３００は、払拭対象の液体吐出ヘッドの液体吐出面に向けて押圧ローラ３１８を付勢させる付勢部を備えている。図１０では、付勢部の図示は省略される。付勢部は図１４に符号３１９が付されて模式的に図示される。付勢部の例として、ばね等の弾性部材を備える態様が挙げられる。ばねの配置例として、図示されない第一軸部の下側、及び図示されない第二軸部の下側が挙げられる。
【０２２７】
後段ガイド３２２は、第一後段ガイド３６４、及び第二後段ガイド３６６を備えている。第一後段ガイド３６４、及び第二後段ガイド３６６は、押圧ローラ３１８を通過した払拭ウエブ３１０をガイドする。
【０２２８】
第一後段ガイド３６４は、第一前段ガイド３６０と同様の構造が適用可能である。第一後段ガイド３６４の構造の説明は省略される。第一後段ガイド３６４は、払拭ウエブ３１０の走行方向を水平方向から下向き方向へ変換させる。
【０２２９】
第二後段ガイド３６６は、第二前段ガイド３６２と同様の構造が適用可能である。第二後段ガイド３６６の構造の説明は省略される。第二後段ガイド３６６は、押圧ローラ３１８と第一後段ガイド３６４との間に配置される。第二前段ガイド３６２は、払拭ウエブ３１０の走行方向を微調整する。
【０２３０】
なお、符号３６６Ｒが付された部材は、第二前段ガイド３６２のフランジ部である。また、符号３６８Ｂが付された部材は、第二後段ガイド３６６の一方の端を支持するブラケットである。
【０２３１】
図１０には、払拭ウエブ収納容器４００から繰り出された払拭ウエブ３１０が巻取軸３１６へ至る、払拭ウエブ３１０の走行経路が模式的に図示されている。払拭ウエブ収納容器４００の出口４０２から繰り出された払拭ウエブ３１０は、第一前段ガイド３６０の上縁、第二前段ガイド３６２の下側、押圧ローラ３１８の上側、第二後段ガイド３６６の下側、第二前段ガイド３６２の上縁、及びフィードローラ３２４を経由して、巻取軸３１６へ到達する。
【０２３２】
図１１に示された第一ギア４４０は、図１０に示された繰出軸４０４に取り付けられる。図１１に示された第一ギア４４０は、第二ギア４４２が噛み合わせられている。第二ギア４４２は、第三ギア４４４が噛み合わせられている。
【０２３３】
第三ギア４４４を固定することに起因して、第二ギア４４２、及び第一ギア４４０が固定される。そうすると、図１０に示された繰出軸４０４を固定することが可能となる。一方、図１１に示された第三ギア４４４を回転可能とすることに起因して、第二ギア４４２、及び第一ギア４４０が回転可能となる。そうすると、図１０に示された繰出軸４０４は回転可能となる。
【０２３４】
図１１に示された巻取ギア３５８は、巻取軸３１６に取り付けられる。巻取ギア３５８は、アイドルギア３８８が噛み合わせられる。アイドルギア３８８は、ローラ駆動ギア３８６が噛み合わせられる。
【０２３５】
ローラ駆動ギア３８６は、図１０に示されたフィードローラ３２４に取り付けられる。図１１に示されたアイドルギア３８８は、図９に示された駆動ギア３９２と噛み合わせられる。駆動ギア３９２は、モータ３９４の回転軸に取り付けられる。
【０２３６】
モータ３９４の回転軸が回転されることに起因して、駆動ギア３９２、及び図１１に示されたアイドルギア３８８が回転する。アイドルギア３８８の回転に起因して、巻取ギア３５８、及びローラ駆動ギア３８６が同期して回転する。
【０２３７】
図９に示されたモータ３９４の動作を制御するモータ制御部は、図２に示されたメンテナンス制御部１２６に含まれてもよいし、メンテナンス制御部１２６とは別に、モータ制御部が備えられてもよい。
【０２３８】
モータ制御部は、図９に示されたモータ３９４の動作開始タイミング、動作停止タイミング、回転速度、及び回転期間等を制御する。モータ制御部は、プロセッサー、及びプロセッサーの周辺回路から構成されてもよい。モータ制御部は、プログラムの実行に起因して動作してもよい。
【０２３９】
図９に示された駆動ギア３９２、及びモータ３９４、並びに図１１に示された巻取ギア３５８、ローラ駆動ギア３８６、及びアイドルギア３８８は、払拭シート走行部の構成要素である。
【０２４０】
図１２に示されるケース３１２は、ケース本体３２６、及び蓋３２８を備えている。ケース本体３２６は、縦方向に長い長方形の箱状に形成されており、上端部、及び前面部に開口が形成されている。蓋３２８は、ヒンジ３３０を介して、ケース本体３２６の前面部に取り付けられている。ケース本体３２６は、蓋３２８を用いて前面部の開閉が可能とされる。
【０２４１】
蓋３２８は、弾性変形可能なロック爪３３２を備えている。ケース本体３２６に備えられた爪受部３３４にロック爪３３２を弾性変形させて係合させることに起因して、蓋３２８はケース本体３２６に固定される。
【０２４２】
図１２に破線が用いられて図示された蓋３２８は、ケース本体３２６の前面が開けられた状態の蓋３２８を表している。図１２に実線が用いられて図示された蓋３２８は、ケース本体３２６の前面が閉められた状態の蓋３２８を表している。
【０２４３】
図１２に３６２Ｌが付された部材は、第二前段ガイド３６２のフランジ部である。図１２に符号３６６Ｌが付された部材は、第二後段ガイド３６６のフランジ部である。
【０２４４】
図１０から図１３に示されたクリーナ３００は、傾斜して設置された押圧ローラ３１８に帯状に形成された払拭ウエブ３１０が巻き掛けられ、押圧ローラ３１８に巻き掛けられた払拭ウエブ３１０を、液体吐出ヘッドの液体吐出面に押圧当接させることに起因して、液体吐出ヘッドの液体吐出面を払拭清掃する。
【０２４５】
本実施形態では、四つの液体吐出ヘッドを一体に移動させる態様が例示されているが、四つの液体吐出ヘッドは一つずつ移動させてもよい。また、本実施形態では、四つの液体吐出ヘッドに対応して、四つのクリーナを備える態様が例示されているが、液体吐出ヘッドの数未満の数のクリーナを備え、一つのクリーナが用いられて複数の液体吐出ヘッドの払拭が実行されてもよい。
【０２４６】
本実施形態では、四つのクリーナが一体に支持される態様が例示されているが、四つのクリーナは個別に支持されてもよい。また、二つのクリーナが一体に支持されてもよいし、三つのクリーナが一体に支持されてもよい。
【０２４７】
［払拭ウエブの詳細な説明］
＜払拭ウエブの収納状態の説明＞
図１３は払拭ウエブの収納状態が示される斜視図である。図１３に示された払拭ウエブ収納容器４００は、洗浄液を含浸させた払拭ウエブ３１０であり、ロール状に巻かれた払拭ウエブ３１０が収納される容器である。
【０２４８】
洗浄液は、液体吐出ヘッドの液体吐出面に付着した液体を溶解させる機能を有していてもよい。洗浄液は、液体吐出ヘッドの液体吐出面を湿潤化させる液体を適用してもよい。
【０２４９】
払拭ウエブ収納容器４００は、出口４０２、払拭ウエブ収納部４０６、及びニップローラ対４０８を備えている。出口４０２は、払拭ウエブ収納容器４００の外周面に形成される開口である。
【０２５０】
払拭ウエブ収納部４０６は、円柱形状を有している。払拭ウエブ収納部４０６は、中空構造を有している。払拭ウエブ収納部４０６の内部は、ロール状に巻かれた払拭ウエブ３１０の外形に対応する形状を有している。
【０２５１】
払拭ウエブ収納部４０６の内部にロール状に巻かれた払拭ウエブ３１０が収納される。払拭ウエブ収納部４０６に収納された払拭ウエブ３１０は、出口４０２を介して払拭ウエブ収納部４０６の外部に繰り出される。
【０２５２】
ニップローラ対４０８は、払拭ウエブ収納容器４００の出口４０２に備えられている。ニップローラ対４０８を構成するニップローラの一方は、払拭ウエブ収納容器４００の外周面４１０の周方向について、出口４０２の一方の側に配置される。他方のニップローラは、払拭ウエブ収納容器４００の外周面４１０の周方向について、出口４０２の他方の側に配置される。
【０２５３】
図１３に示されたニップローラ対４０８は、払拭ウエブ収納容器４００の出口４０２の外側において、払拭ウエブ３１０の両面に接触して、払拭ウエブ３１０の両面から払拭ウエブ３１０を挟む構造を有している。図１３に示されたニップローラ対４０８は、払拭ウエブ収納容器４００の出口４０２の外側において、払拭ウエブ３１０を挟むことが可能である。払拭ウエブ３１０の両面のうち一方の面は、第一面に相当する。払拭ウエブ３１０の両面のうち他方の面は、第二面に相当する。
【０２５４】
ニップローラ対４０８は、払拭ウエブ３１０の非走行状態において、払拭ウエブ３１０の抑制部の位置に接触する。図１３では、払拭ウエブ３１０の抑制部の図示は省略される抑制部の一例は、図１５に符号３１１Ａが付されて図示される。
【０２５５】
ニップローラ対４０８は、払拭ウエブ収納容器４００の出口４０２を塞ぐ部材として機能する。ニップローラ対４０８を構成するニップローラの表面は、弾性を有する材料が適用される。
【０２５６】
払拭ウエブ収納容器４００は、ニップローラ対４０８が用いられて出口４０２が塞がれることに起因して、出口４０２を介して、払拭ウエブ収納容器４００の内部から外部への洗浄液の流出が抑制される。
【０２５７】
これにより、払拭ウエブ収納部４０６に収納されている払拭ウエブ３１０を濡らした状態で保持することが可能である。
【０２５８】
図１３に示された払拭ウエブ収納容器４００は、図１０から図１２が用いられて説明がされたクリーナ３００のケース３１２の内部に取り付けられる。図１０には、クリーナ３００のケース３１２の内部に取り付けられた払拭ウエブ収納容器４００が図示されている。
【０２５９】
払拭ウエブ３１０は、洗浄液が用いられて濡らされた状態であり、払拭ウエブ収納容器４００に収納された状態でユーザへの提供が可能である。また、使用された払拭ウエブ３１０は、図１０に示された巻取軸３１６に巻き取られた状態で回収されることが可能である。
【０２６０】
図１４は払拭処理の模式図である。払拭ウエブ収納容器４００の出口４０２から引き出された払拭ウエブ３１０が用いられる液体吐出ヘッド５６の液体吐出面２７７の払拭処理は、濡れた状態の払拭ウエブ３１０を用いて液体吐出ヘッド５６の液体吐出面２７７が払拭される。
【０２６１】
払拭ウエブ３１０は、走行方向について走行させる。液体吐出ヘッド５６は、図示されないヘッド移動部を用いてヘッド移動方向について移動させる。払拭ウエブ３１０と液体吐出ヘッド５６の液体吐出面２７７とが接触する位置において、払拭ウエブ３１０の走行方向は、ヘッド移動方向と反対方向とされる。
【０２６２】
図示されないヘッド移動部は、相対移動部の一態様である。液体吐出ヘッド５６を固定して払拭ウエブ３１０の走行経路が形成される、図９に示されたヘッドクリーニングユニット９０を移動させてもよい。また、図１４に示された液体吐出ヘッド５６、及び図９に示されたヘッドクリーニングユニット９０の両者を移動させてもよい。
【０２６３】
ヘッドクリーニングユニット９０を移動させるヘッドクリーニングユニット移動部は、相対移動部の一態様である。ヘッドクリーニングユニット９０のケース３１２は、払拭シートの走行経路が形成される筐体の一態様である。
【０２６４】
払拭ウエブ収納容器４００に収納される払拭ウエブ３１０が洗浄液を用いて濡らされていることに起因して、液体吐出ヘッド５６の液体吐出面２７７、又は払拭ウエブ３１０への洗浄液を供給する洗浄液供給部が不要とされる。
【０２６５】
なお、図１４に符号３１９が付された部材は、模式的に図示された押圧ローラ３１８の付勢部である。図１４では、図１０に示された巻取軸３１６の図示は省略される。
【０２６６】
＜払拭ウエブの構造の説明＞
図１５は払拭ウエブの構造例が示される斜視図である。図１５に示された払拭ウエブ３１０Ａは、複数の抑制部３１１Ａが形成される。図１５に示された抑制部３１１Ａは、払拭ウエブ３１０Ａの長手方向における払拭ウエブ３１０Ａの繊維が分断された構造を有している。
【０２６７】
払拭ウエブ収納容器４００の外側の払拭ウエブ３１０Ａは、洗浄液の蒸発が進行する。払拭ウエブ収納容器４００の外側の払拭ウエブ３１０Ａは、払拭ウエブ収納容器４００の内部の払拭ウエブ３１０Ａと比較して、洗浄液の含有量が少なくなる。
【０２６８】
払拭ウエブ３１０Ａの毛管力の作用に起因して、払拭ウエブ３１０Ａに含浸させた洗浄液は、払拭ウエブ３１０Ａの繊維を伝わる。そうすると、払拭ウエブ３１０Ａに含浸させた洗浄液は、払拭ウエブ収納容器４００の外側の払拭ウエブ３１０Ａへ流出してしまう。
【０２６９】
そこで、払拭ウエブ３１０Ａの長手方向における払拭ウエブ３１０Ａの繊維の一部を分断させる構造を用いて、毛管力の作用を低下させることに起因して、抑制部３１１Ａを挟んで隣接する領域の間における洗浄液の流通が阻害される。これにより、払拭ウエブ３１０に含浸させた洗浄液の、払拭ウエブ収納容器４００の外側の払拭ウエブ３１０への流出が抑制される。
【０２７０】
図１５に示された複数の抑制部３１１Ａは、払拭ウエブ３１０Ａの長手方向について等間隔に形成される。ここでいう間隔は距離を表している。払拭ウエブ３１０Ａの長手方向における抑制部３１１Ａの配置間隔は、一回の払拭処理に使用される払拭ウエブ３１０Ａの長さ以上とされる。
【０２７１】
なお、払拭ウエブ３１０Ａの長手方向は、払拭ウエブ３１０Ａの走行方向と読み替え可能である。払拭ウエブ３１０Ａの短手方向は、払拭ウエブ３１０Ａの走行方向と直交する方向、又は払拭ウエブ３１０Ａの幅方向と読み替え可能である。
【０２７２】
以下に、一回の払拭処理に使用される払拭ウエブ３１０Ａの長さの算出例が示される。図１４に示された液体吐出ヘッド５６の移動速度の絶対値はＶｈとされる。払拭ウエブ３１０の走行速度の絶対値はＶｗとされる。速度の絶対値はＶｈ、及び速度の絶対値Ｖｗの単位はミリメートル毎秒である。液体吐出ヘッド５６の長手方向の全長はＸｈとされる。長さＸｈの単位はミリメートルである。
【０２７３】
液体吐出ヘッド５６が液体吐出面２７７と払拭ウエブ３１０との接触位置を通過する期間はｔｈｗとされる。期間ｔｈｗの単位は秒である。期間ｔｈｗは以下の式１を用いて表される。
【０２７４】
ｔｈｗ＝Ｘｈ／Ｖｈ  …式１
一回の払拭処理に使用される払拭ウエブ３１０の長さＸｗは、期間ｔｈｗの間に払拭ウエブ３１０が移動する距離として求められる。一回の払拭処理に使用される払拭ウエブ３１０の長さＸｗは、以下の式２を用いて表される。長さＸｗの単位はミリメートルである。
【０２７５】
Ｘｗ＝Ｖｗ×ｔｈｗ  …式２
図１５に示された抑制部３１１Ａは、払拭ウエブ３１０Ａの繊維一部が欠落している。払拭ウエブ３１０Ａは、繊維の一部が欠落している部分において、図１４に示された液体吐出ヘッド５６の液体吐出面２７７と非接触となる。
【０２７６】
そうすると、図１５に示された抑制部３１１Ａを図１４に示された液体吐出ヘッド５６の液体吐出面２７７に接触させた際に、拭き残し等の発生が懸念される。そこで、図１５に示された抑制部３１１Ａは、払拭処理の際に非使用とされる。一回の払拭処理の際に、抑制部３１１Ａが非使用とされることに起因して、払拭処理の際の拭き残し等が抑制される。払拭ウエブ３１０Ａを停止させる際は、図１４に示された払拭ウエブ収納容器４００の出口４０２の位置に、抑制部３１１Ａを停止させることが好ましい。抑制部３１１Ａの停止は、出口４０２における払拭ウエブ収納容器４００の内側の位置であることが好ましい。
【０２７７】
図１５に示された抑制部３１１Ａは、払拭ウエブ３１０Ａの短手方向に沿って形成される。また、抑制部３１１Ａは、払拭ウエブ３１０Ａの短手方向について、払拭ウエブ３１０Ａの全長に対応する長さを有している。図１５に示された抑制部３１１Ａは、払拭ウエブ３１０Ａの短手方向と交差する斜め方向に沿って形成されてもよい。図１６に示されたる払拭ウエブ３１０Ｂ、及び図１７に示される払拭ウエブ３１０Ｃについても、同様である。
【０２７８】
抑制部３１１Ａは、払拭ウエブ３１０Ａの短手方向について、払拭ウエブ３１０Ａの全長未満の長さを有していてもよい。払拭ウエブ３１０Ａの全長に対応する長さの例として、払拭ウエブ３１０Ａの全長以下の長さが挙げられる。
【０２７９】
図１５に示された抑制部３１１Ａは、払拭ウエブ３１０Ａの短手方向に沿って、複数の穴部３１１Ｂ、及び複数の非穴部３１１Ｃを有している。図１５に示された抑制部３１１Ａは、穴部３１１Ｂと非穴部３１１Ｃとが交互に配置される。
【０２８０】
図１５に示された穴部３１１Ｂの開口の平面形状は長方形である。ここでいう長方形は、頂角が丸められた形状を有していてもよい。図１５に示された穴部３１１Ｂは、払拭ウエブ３１０Ａの短手方向の長さが、払拭ウエブ３１０Ａの長手方向の長さの十分の一以下とされる。
【０２８１】
また、図１５に示された抑制部３１１Ａは、穴部３１１Ｂの面積を非穴部３１１Ｃの面積で除算して算出される、穴部３１１Ｂの面積と非穴部３１１Ｃとの面積比が１である。
【０２８２】
穴部３１１Ｂと非穴部３１１Ｃとの面積比は、洗浄液の蒸発の抑制と、払拭ウエブ３１０Ａの強度とのバランスが考慮されて決めることができる。例えば、穴部３１１Ｂと非穴部３１１Ｃとの面積比を相対的に大きくすると、洗浄液の流れを、より抑制させることが可能である。
【０２８３】
一方、穴部３１１Ｂと非穴部３１１Ｃとの面積比を相対的に小さくすると、払拭ウエブ３１０Ａの強度の低下が懸念される。そこで、払拭ウエブ３１０の強度、及び洗浄液の流れの抑制の程度を考慮して、穴部３１１Ｂと非穴部３１１Ｃとの面積比が決められる。
【０２８４】
払拭ウエブ３１０Ａの長手方向における穴部３１１Ｂの長さは、図１３に示されたニップローラ対４０８を用いてニップされた際に、ニップローラ対４０８を用いて穴部３１１Ｂが被覆される長さとしてもよい。本明細書におけるニップは挟持と読み替えが可能である。
【０２８５】
図１６は穴部の変形例が示される斜視図である。図１６に示された払拭ウエブ３１０Ｂの抑制部３１１Ｄは、図１５に示された払拭ウエブ３１０Ａの穴部３１１Ｂに代わり、図１６に示された楕円穴部３１１Ｅを備えている。
【０２８６】
楕円穴部３１１Ｅの開口の平面形状は楕円形状である。楕円穴部３１１Ｅにおける長軸の方向は、払拭ウエブ３１０Ｂの短手方向に平行となる方向である。楕円穴部３１１Ｅにおける短軸の方向は、払拭ウエブ３１０Ｂの長手方向に平行となる方向である。
【０２８７】
楕円穴部３１１Ｅの長軸半径を短軸半径で除算した値は１以上１０未満とすることが可能である。なお、楕円穴部３１１Ｅの長軸が払拭ウエブ３１０Ｂの長手方向に平行となる方向とされ、楕円穴部３１１Ｅの短軸が払拭ウエブ３１０Ｂの短手方向に平行となる方向とされてもよい。
【０２８８】
楕円穴部３１１Ｅの長軸が払拭ウエブ３１０Ｂの長手方向に平行となる方向とされ、楕円穴部３１１Ｅの短軸が払拭ウエブ３１０Ｂの短手方向に平行となる方向とされると、払拭ウエブ３１０Ｂの長手方向における抑制部３１１Ｄの長さが相対的に長くなり、払拭ウエブ３１０Ｂの長手方向における払拭処理に使用されない領域の長さが相対的に長くなってしまう。
【０２８９】
したがって、楕円穴部３１１Ｅの長軸が払拭ウエブ３１０Ｂの短手方向に平行となる方向とされ、楕円穴部３１１Ｅの短軸が払拭ウエブ３１０Ｂの長手方向に平行となる方向とされる態様が好ましい。
【０２９０】
図１７は払拭ウエブの他の構造例が示される斜視図である。図１７に示された払拭ウエブ３１０Ｃは、図１５に示された抑制部３１１Ａに代わり、図１７に示された抑制部３１１Ｆが形成される。抑制部３１１Ｆは、払拭ウエブ３１０Ｂの繊維が溶かされた後に硬化させた構造である、加熱加圧痕が適用される。
【０２９１】
図１７には、払拭ウエブ３１０Ｃの短手方向について連続する抑制部３１１Ｆが例示されているが、払拭ウエブ３１０Ｃの短手方向について、間欠的に抑制部３１１Ｆが形成されてもよい。
【０２９２】
払拭ウエブ３１０Ｃの長手方向における抑制部３１１Ｆの長さは、より短いことが好ましい。払拭ウエブ３１０Ｃの長手方向における抑制部３１１Ｆの長さは、図１３に示されたニップローラ対４０８が、図１７に示された払拭ウエブ３１０Ｃをニップする際に、払拭ウエブ３１０Ｃの長手方向について、図１３に示されたニップローラ対４０８が、図１７に示された払拭ウエブ３１０Ｃに接触する長さ以下としてもよい。
【０２９３】
図１７に示された抑制部３１１Ｆは、払拭ウエブ３１０Ｃの長手方向について、二列にジグザグ状に形成されてもよい。
【０２９４】
［払拭ウエブの構造に起因する作用効果］
図１５に示された払拭ウエブ３１０Ａによれば、払拭ウエブ３１０Ａの短手方向に沿って抑制部３１１Ａが形成されることに起因して、抑制部３１１Ａの位置において、払拭ウエブ３１０Ａの長手方向に沿う払拭ウエブ３１０Ａの毛管力を低下させる。これにより、払拭ウエブ３１０Ａの長手方向に沿う払拭ウエブ３１０Ａの繊維を介した洗浄液の流れが抑制される。
【０２９５】
また、一回の払拭処理に使用される払拭ウエブ３１０Ａの長さに対応して、払拭ウエブ３１０Ａの長手方向における抑制部３１１Ａの配置間隔が決められことに起因して、抑制部３１１Ａを払拭処理に使用せずに済む。これにより、抑制部３１１Ａが形成されたことに起因する払拭への影響を抑制することが可能である。
【０２９６】
図１６に示された払拭ウエブ３１０Ｂ、及び図１７に示された払拭ウエブ３１０Ｃについても、同様の作用効果を得ることが可能である。
【０２９７】
［払拭ウエブ収納容器の詳細な説明］
＜払拭ウエブ収納容器の構造例＞
図１８は払拭ウエブ収納容器の他の構造例が示される斜視図である。図１８に示された払拭ウエブ収納容器４００Ａは、払拭ウエブ収納部４０６Ａ、及び出口形成部４０１Ａを備えている。
【０２９８】
払拭ウエブ収納部４０６Ａは、本体部４０６Ｂ、蓋部４０６Ｃ、及び開口部４０６Ｄを備えている。本体部４０６Ｂ、及び蓋部４０６Ｃは、互いに嵌め合わせが可能な形状であり、且つ、互いに密着が可能な形状を有している。
【０２９９】
開口部４０６Ｄは、本体部４０６Ｂ、及び蓋部４０６Ｃを貫通する貫通穴である。開口部４０６Ｄは、図１８に図示されない駆動接続部が形成される。駆動接続部は図２７に符号４０６Ｅが付されて図示される。
【０３００】
出口形成部４０１Ａは、払拭ウエブ収納部４０６Ａの外周面４１０から突出した部分である。出口形成部４０１Ａの先端は、出口４０２が形成されている。図１８に示された矢印線は、払拭ウエブ３１０の繰出方向を表している。
【０３０１】
図１９は図１８に示された払拭ウエブ収納容器の分解斜視図である。図１９に示された払拭ウエブ３１０の巻芯３１０Ｄは、本体部４０６Ｂの開口部４０６Ｄに位置合わせがされ、払拭ウエブ３１０は本体部４０６Ｂへ取り付けられる。
【０３０２】
本体部４０６Ｂの出口形成部４０１Ａは、ばね支持部４０９、及びニップローラ４０８Ａ、及び図示されないばねを備えている。図１９に図示されないばねは、図２０に符号４１４が付されて図示される。図１９に符号４０１Ｂが付された面は、払拭ウエブ収納部４０６Ａの内側の面であるニップ面である。
【０３０３】
図１９に示された払拭ウエブ収納容器４００Ａは、図１３に示されたニップローラ対４０８に代わり、ニップローラ４０８Ａ、ばね支持部４０９、ニップ面４０１Ｂ、及び図示されないばねを備えたニップ部４２０を備えている。
【０３０４】
ニップ部４２０は、本体部４０６Ｂの出口形成部４０１Ａ、及び蓋部４０６Ｃの出口形成部４０１Ａの両者に、ばね支持部４０９、及び図示されないばねを備えていてもよい。図１９に示されたニップ部４２０は挟持部の一態様である。図１９に示されたニップローラ４０８Ａ、ばね支持部４０９、ニップ面４０１Ｂ、及び図２０に示されるばね４１４は、付勢部の構成要素である。
【０３０５】
図２０は図１８に示された払拭ウエブ収納容器の内部構造例が示される斜視図である。図２０は、図１８、及び図１９に示された払拭ウエブ収納容器４００Ａに払拭ウエブ３１０が収納された状態が図示されている。
【０３０６】
払拭ウエブ３１０の巻芯３１０Ｄは、本体部４０６Ｂの開口部４０６Ｄに取り付けられる。払拭ウエブ３１０は、本体部４０６Ｂが用いられて、巻芯３１０Ｄを回転軸として回転可能に支持される。
【０３０７】
払拭ウエブ３１０は、ガイドローラ４１６を用いて案内され、出口４０２へ導かれる払拭ウエブ３１０は、払拭ウエブ収納容器４００Ａの内部であり、出口４０２の手前の位置において、ニップローラ４０８Ａとニップ面４０１Ｂとが用いられてニップされる。なお、図２０では図１９に示されたニップ面４０１Ｂの図示は省略される。
【０３０８】
払拭ウエブ収納容器４００Ａの内側にニップローラ４０８Ａが備えられるので、払拭ウエブ収納容器４００Ａの内側において、払拭ウエブ３１０の挟持が可能である。ニップローラ４０８Ａの表面は、払拭ウエブ３１０をニップ面４０１Ｂへ押し付けた際に変形する弾性を有する材料が適用される。
【０３０９】
ニップローラ４０８Ａは、ばね４１４が用いられてニップ面４０１Ｂに向けて付勢される。ニップローラ４０８Ａは、払拭ウエブ３１０をニップ面４０１Ｂへ押し付ける。ばね４１４は適切なニップ圧力が実現されるばね定数を有している。
【０３１０】
ニップローラ４０８Ａとニップ面４０１Ｂとが用いられる、払拭ウエブ３１０のニップに起因して出口４０２が密閉される。これにより、払拭ウエブ収納容器４００Ａの内部の水分の蒸発が抑制される。払拭ウエブ収納容器４００Ａの内部の水分は、払拭ウエブ３１０に含浸させた洗浄液の溶媒が含まれる。
【０３１１】
ここでいう密閉は、厳密な意味の密閉だけでなく、ニップローラ４０８Ａと払拭ウエブ３１０の隙間、及びニップ面４０１Ｂと払拭ウエブ３１０の隙間の少なくともいずれか一方を介して、微量な水分が払拭ウエブ収納容器４００Ａの内部から外部へ流出するものの、払拭ウエブ収納容器４００Ａの内部の水分量が十分な状態が維持される実質的な密閉が含まれていてもよい。
【０３１２】
また、ニップローラ４０８Ａとニップ面４０１Ｂとが用いられて、払拭ウエブ３１０がニップされた状態において払拭ウエブ３１０が搬送されることに起因して、払拭ウエブ３１０が絞られる。これにより、払拭ウエブ３１０に含浸させた洗浄液の一部が除去され、払拭ウエブ収納容器４００Ａの内部から外部への洗浄液の流出が防止される。
【０３１３】
払拭ウエブ３１０を走行させる際に、ニップローラ４０８Ａとニップ面４０１Ｂとを用いたニップの圧力を調整することに起因して、払拭ウエブ３１０に含浸させた洗浄液を除去する量の調整が可能である。
【０３１４】
＜ニップ部の構成例＞
図２１から図２３はニップ部の他の構成例が示される模式図である。ニップ部の一態様として、図１３に示されたニップローラ対４０８が挙げられる。ニップ部の他の一態様として、図２０に示されたニップローラ４０８Ａ、ばね支持部４０９、ニップ面４０１Ｂ、及びばね４１４が挙げられる。
【０３１５】
図２１に示されたニップ部４２０Ａは、図２０に示されたニップローラ４０８Ａに代わり、板状弾性部材４２２を備えている。板状弾性部材４２２の一例としてエラストマーが挙げられる。図２１に示された板状弾性部材４２２は、基端側が支持部材４２４を用いて支持される。板状弾性部材４２２は、先端側を払拭ウエブ３１０に押し付けて、出口形成部４０１Ａとの間で払拭ウエブ３１０をニップする。
【０３１６】
図２１に示されたニップ部４２０Ａは、収納容器の内側の面に向けて払拭シートを付勢する付勢部を備えた挟持部の一態様である。板状弾性部材４２２は付勢部の構成要素である。
【０３１７】
図２２に示されたニップ部４２０Ｂは、図１３に示されたニップローラ対４０８を備えている。図１３には、払拭ウエブ収納容器４００の外周面４１０の側にニップローラ対４０８が配置されている。ニップローラ対４０８は、図１８に示された払拭ウエブ収納容器４００Ａの出口形成部４０１Ａに配置されてもよい。図２２に示されたニップ部４２０Ｂは、複数のローラを備えた挟持部の一態様である。
【０３１８】
図２３に示されたニップ部４２０Ｃは、走行路規制構造体４３０、第一ニップローラ４３２、及び第二ニップローラ４３４を備えている。走行路規制構造体４３０は、払拭ウエブ３１０の走行路を二回折り返す構造を有している。
【０３１９】
走行路規制構造体４３０の第一ニップローラ４３２が配置される位置において、払拭ウエブ３１０は折り返しがされる。第一ニップローラ４３２が配置される位置において、払拭ウエブ３１０は走行路規制構造体４３０の内壁に押し付けられてもよい。
【０３２０】
また、走行路規制構造体４３０の第二ニップローラ４３４が配置される位置において、払拭ウエブ３１０は折り返しがされる。走行路規制構造体４３０の第二ニップローラ４３４が配置される位置において、払拭ウエブ３１０は走行路規制構造体４３０の内壁に押し付けられてもよい。
【０３２１】
走行路規制構造体４３０における払拭ウエブ３１０を折り返す構造は、三か所以上であってもよい。一方、走行路規制構造体４３０における払拭ウエブ３１０を折り返す構造が相対的に多くされると、払拭ウエブ３１０の走行の障害となる可能性があるので、走行路規制構造体４３０における払拭ウエブ３１０を折り返す構造は必要最小限の数とされることが好ましい。図２３に示されたニップ部４２０Ｃは、挟持部の一態様である。
【０３２２】
＜洗浄液貯留部の説明＞
図２４は洗浄液貯留部の構造例が示される払拭ウエブ収納容器の本体部の平面図である。図２４は、払拭ウエブ収納容器４００Ａの本体部４０６Ｂに、払拭ウエブ３１０が収納された状態が図示されている。
【０３２３】
図２４に示された払拭ウエブ収納容器４００Ａは、洗浄液貯留部４３６を備えている。洗浄液貯留部４３６は、払拭ウエブ収納容器４００Ａの底面４３６Ａに形成される。払拭ウエブ３１０は、ガイドローラ４１６に案内されて洗浄液貯留部４３６を通過する。ガイドローラ４１６はガイド部材の一態様である。
【０３２４】
払拭ウエブ収納容器４００Ａの底面４３６Ａは、払拭ウエブ３１０に含浸させた洗浄液のうち、払拭ウエブ３１０から除去された洗浄液が溜められる。払拭ウエブ３１０のうち、払拭ウエブ収納容器４００Ａの外部の払拭ウエブ３１０は、払拭ウエブ収納容器４００Ａの内部の払拭ウエブ３１０と比較して、水分の蒸発が進行する。
【０３２５】
払拭ウエブ３１０を用いた払拭処理が実行される前に、払拭ウエブ収納容器４００Ａの外部の払拭ウエブ３１０が、ガイドローラ４１６に案内されて洗浄液貯留部４３６へ戻されることに起因して、払拭ウエブ３１０の全体に洗浄液を含浸させることが可能となる。
【０３２６】
払拭ウエブ収納容器４００Ａの外部の払拭ウエブ３１０が、払拭ウエブ収納容器４００Ａの洗浄液貯留部４３６へ戻される処理は、払拭処理の際と払拭ウエブ３１０を逆方向へ走行させて実現することが可能である。
【０３２７】
払拭処理の際と払拭ウエブ３１０を逆方向へ走行させる構成として、図２４に示された巻芯３１０Ｄに駆動力の伝達構造を連結させ、モータ等の駆動源を用いて、駆動力の伝達構造を介して巻芯３１０Ｄを回転させればよい。モータ等の駆動源を制御する走行制御部は、図２に示されたメンテナンス制御部１２６に含まれる。図２に示されたメンテナンス制御部１２６は、走行制御部の一態様である。
【０３２８】
＜払拭ウエブの巻芯の構造例＞
図２５は払拭ウエブの巻芯の構造例が示される斜視図である。図２６は払拭ウエブの巻芯の構造例が示される側面図である。図２５、及び図２６に示された巻芯３１０Ｄは、内周面に溝３１０Ｇが形成されている。
【０３２９】
溝３１０Ｇは、払拭ウエブ３１０を巻き戻す際の駆動力の伝達構造が連結される。溝３１０Ｇは、巻芯３１０Ｄの長手方向の全長に対応する長さを有していてもよい。溝３１０Ｇは、巻芯３１０Ｄの長手方向の全長未満の長さを有していてもよい。
【０３３０】
図２７は払拭ウエブ収納容器の斜視断面図である。図２７は図１８に示された２７−２７線に沿う断面が示されている。図２７に示された開口部４０６Ｄは、開口部４０６Ｄの長手方向の中央部に駆動接続部４０６Ｅが形成されている。
【０３３１】
図２７に示された開口部４０６Ｄは、駆動接続部４０６Ｅの位置において、切断された構造を有している。開口部４０６Ｄの長手方向の中央部とは、開口部４０６Ｄの長手方向について、開口部４０６Ｄを二等分する位置である開口部４０６Ｄの中央位置を含む領域である。
【０３３２】
開口部４０６Ｄの駆動接続部４０６Ｅにおいて、図２５に示された巻芯３１０Ｄの溝３１０Ｇが露出する。これにより、駆動接続部４０６Ｅを介して、巻芯３１０Ｄの溝３１０Ｇへの払拭ウエブ３１０を巻き戻す際の駆動力の伝達構造の連結が可能となる。
【０３３３】
＜キャップの説明＞
図２８は払拭ウエブ収納容器に取り付け可能なキャップの一例が示される斜視図である。図２８に示されたキャップ５００は、出口形成部４０１Ａに取り付けが可能な形状を有している。また、キャップ５００は、出口形成部４０１Ａに取り付けが可能な構造を有している。
【０３３４】
キャップ５００は、払拭ウエブ収納容器４００Ａと同じ材料が用いられてもよい。キャップ５００は、払拭ウエブ収納容器４００Ａと異なる材料が用いられてもよい。キャップ５００の材料は限定されない。キャップ５００は、出口形成部４０１Ａを塞ぐことが可能であり、水分が非透過であればよい。また、キャップ５００は、出口形成部４０１Ａに固定が可能であればよい。
【０３３５】
キャップ５００は、工場の出荷検査が終了した後に出口形成部４０１Ａに取り付けられてもよい。キャップ５００は、払拭ウエブ収納容器４００Ａが図１０に示されたクリーナ３００に搭載される際に取り外される。
【０３３６】
キャップ５００は、払拭ウエブ収納容器４００Ａに払拭ウエブ３１０が収納された状態において保管される際に、出口形成部４０１Ａに取り付けられてもよい。
【０３３７】
払拭ウエブ収納容器４００Ａの出口形成部４０１Ａにキャップ５００が取り付けられることに起因して、クリーナ３００に未搭載の払拭ウエブ収納容器４００Ａにおける払拭ウエブ３１０の水分の蒸発が、より抑制される。
【０３３８】
［払拭ウエブ収納容器の作用効果］
上記の如く構成された払拭ウエブ収納容器によれば、ニップ部が用いられて払拭ウエブ収納容器の出口が密閉されることに起因して、払拭ウエブ収納容器の水分の蒸発が抑制される。
【０３３９】
ニップ部が用いられて払拭ウエブが絞られることに起因して、払拭ウエブに含浸させた洗浄液の一部が除去される。これにより、払拭ウエブの余分な洗浄液が除去される。また、払拭ウエブから除去された洗浄液は払拭ウエブ収納容器の洗浄液貯留部に溜められる。これにより、払拭ウエブ収納容器の外部に露出した払拭ウエブを巻き戻し、巻き戻した払拭ウエブに対して洗浄液貯留部に溜められた洗浄液の付与が可能となる。
【０３４０】
更に、払拭ウエブの構造に起因する作用効果との相乗効果を得ることが可能であり、払拭ウエブ収納容器の内部から外部への洗浄液の流出が抑制される。
【０３４１】
［メンテナンス方法のフローチャートの説明］
図２９はメンテナンス方法の制御の流れが示されるフローチャートである。ここでいうメンテナンスとは、液体吐出ヘッドの使用に起因して、液体吐出ヘッドの吐出性能の低下が生じた際の回復処理が含まれる。回復処理は、液体吐出ヘッドの液体吐出面の払拭処理が含まれる。
【０３４２】
メンテナンスモード実行判定工程Ｓ１０では、図２に示されたメンテナンス制御部１２６がメンテナンス実行命令を受信したか否かが判定される。
【０３４３】
図２９のメンテナンスモード実行判定工程Ｓ１０において、図２に示されたメンテナンス制御部１２６がメンテナンス実行命令を受信していない場合は、Ｎｏ判定とされる。Ｎｏ判定の場合は、図２９のメンテナンスモード実行判定工程Ｓ１０においてＹｅｓ判定とされるまで、メンテナンスモード実行判定工程Ｓ１０が繰り返し実行される。
【０３４４】
図２９のメンテナンスモード実行判定工程Ｓ１０において、図２に示されたメンテナンス制御部１２６がメンテナンス実行命令を受信した場合は、Ｙｅｓ判定とされる。Ｙｅｓ判定の場合は、図２９の経過期間判定工程Ｓ１２が実行される。
【０３４５】
経過期間判定工程Ｓ１２では、図２に示されたメンテナンス制御部１２６は、前回のウエブの送りからの経過期間が、予め決められた基準期間以上であるか否かを判断する。前回のウエブの送りとは、前回の払拭処理におけるウエブの走行である。予め決められた閾値はｔ分とされる。
【０３４６】
前回のウエブの送りからの経過期間を計測する計測部は、図２に示されたメンテナンス制御部１２６に含まれている。図２に示されたメンテナンス制御部１２６とは別に、前回のウエブの送りからの経過期間を計測する計測部を備えてもよい。
【０３４７】
図２９の経過期間判定工程Ｓ１２では、計測部を用いて取得された計測結果を取得する。経過期間判定工程Ｓ１２では、計測結果を用いて、前回のウエブの送りからの経過期間が、予め決められた基準期間ｔ分以上であるか否かを判断する。
【０３４８】
経過期間判定工程Ｓ１２において、前回のウエブの送りからの経過期間が、予め決められた基準期間ｔ分未満の場合は、Ｎｏ判定とされる。Ｎｏ判定の場合は、メンテナンスシーケンス実行工程Ｓ１６へ進む。
【０３４９】
経過期間判定工程Ｓ１２において、前回のウエブの送りからの経過期間が、予め決められた基準期間ｔ分以上の場合は、Ｙｅｓ判定とされる。Ｙｅｓ判定の場合は、巻戻し工程Ｓ１４へ進む。
【０３５０】
巻戻し工程Ｓ１４では、図２に示されたメンテナンス制御部１２６は、図１８に示された払拭ウエブ収納容器４００Ａの外部に露出していた払拭ウエブ３１０が、図２４に示された洗浄液貯留部４３６へ到達するまで、払拭ウエブ３１０を巻き戻す。図２９に示される例では、図１８に示された払拭ウエブ３１０が巻き戻しされる長さはｓミリメートルとされる。
【０３５１】
更に、図２９の巻戻し工程Ｓ１４では、図２に示されたメンテナンス制御部１２６は、図１８に示された払拭ウエブ３１０をｓミリメートル送り出す。これにより、図１８に示された払拭ウエブ収納容器４００Ａの外部に露出していた払拭ウエブ３１０に対して洗浄液を含浸させることが可能となる。
【０３５２】
図２９の巻戻し工程Ｓ１４の後に、メンテナンスシーケンス実行工程Ｓ１６が実行される。メンテナンスシーケンス実行工程Ｓ１６では、図２に示されたメンテナンス制御部１２６は、メンテナンス部２８を用いて、図７に示された液体吐出ヘッド５６Ｃ、液体吐出ヘッド５６Ｍ、液体吐出ヘッド５６Ｙ、及び液体吐出ヘッド５６Ｋに対してメンテナンスシーケンスを実行する。
【０３５３】
メンテナンスシーケンスは、液体吐出ヘッド５６Ｃの液体吐出面２７７Ｃの払拭処理、液体吐出ヘッド５６Ｍの液体吐出面２７７Ｍの払拭処理、液体吐出ヘッド５６Ｙの液体吐出面２７７Ｙの払拭処理、及び液体吐出ヘッド５６Ｋの液体吐出面２７７Ｋの払拭処理が含まれる。
【０３５４】
図２９のメンテナンスシーケンス実行工程Ｓ１６の後に、メンテナンス方法は終了される。図２９に示されたメンテナンス方法は、払拭装置において、液体吐出ヘッドの液体吐出面の払拭方法に適用してもよい。
【０３５５】
［メンテナンス方法の作用効果］
上記の如く構成されたメンテナンス方法によれば、先に説明がされた払拭ウエブ収納容器の作用効果と同様の作用効果を得ることが可能である。
【０３５６】
本明細書では、搬送ドラムが用いられて用紙が搬送される態様が例示されているが、搬送ベルト、ニップローラ等の搬送部材が用いられて用紙が搬送されてもよい。
【０３５７】
本明細書では、液体吐出装置の一例としてインクジェット記録装置が例示されているが、液体吐出装置は、グラフィック用途のインクジェット記録装置に限定されず、工業用途である電気配線形成、マスクパターン形成を行うインクジェット方式のパターン形成装置に対しても広く適用することが可能である。
【０３５８】
以上説明した本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有する者により、多くの変形が可能である。
【符号の説明】
【０３５９】
１  水平面
１０  インクジェット記録装置
１１  搬送系
１２  給紙部
１４  処理液付与部
１５  ヘッド支持部
１６  処理液乾燥処理部
１８  描画部
２０  インク乾燥処理部
２４  排紙部
２８  メンテナンス部
３０  給紙台
３２  サッカー装置
３４  給紙ローラ対
３６  フィーダボード
３６Ａ  リテーナ
３６Ｂ  ガイドローラ
３８  前当て
４０  給紙ドラム
４０Ａ、４２Ａ、４６Ａ、５２Ａ、６４Ｄ  グリッパー
４０Ｂ、４２Ｂ、４６Ｂ、５２Ｂ  回転軸
４２  処理液ドラム
４２Ｃ、４６Ｃ、５２Ｃ  外周面
４４  処理液付与装置
４６  処理液乾燥処理ドラム
４８  用紙搬送ガイド
５０  処理液乾燥処理ユニット
５２  描画ドラム
５２Ｄ  本体フレーム
５２Ｅ  軸受
５４  用紙押さえローラ
５６、５６Ｃ、５６Ｍ、５６Ｙ、５６Ｋ  液体吐出ヘッド
５８  インラインセンサ
６４  チェーングリッパー
６４Ａ  第一スプロケット
６４Ｂ  第二スプロケット
６４Ｃ  チェーン
６８  インク乾燥処理ユニット
７２、７３  ガイドプレート
７６  排紙台
８２Ｌ、８２Ｒ  サイドプレート
８４  連結フレーム
８６Ｃ、８６Ｍ、８６Ｙ、８６Ｋ  取付部
８８Ｃ、８８Ｍ、８８Ｙ、８８Ｋ  被取付部
９０  ヘッドクリーニングユニット
９４  保湿ユニット
９５Ｃ、９５Ｍ、９５Ｙ、９５Ｋ  装着部
１００  システムコントローラ
１００Ａ  ＣＰＵ
１００Ｂ  ＲＯＭ
１００Ｃ  ＲＡＭ
１０２  通信部
１０３  ホストコンピュータ
１０４  画像メモリ
１１０  搬送制御部
１１２  給紙制御部
１１４  処理液付与制御部
１１６  処理液乾燥制御部
１１８  描画制御部
１２０  インク乾燥制御部
１２４  排紙制御部
１２６  メンテナンス制御部
１３０  操作部
１３２  表示部
１３４  パラメータ記憶部
１３６  プログラム格納部
２００  ヘッドモジュール
２１０  流路構造体
２１４  インク供給路
２１６  個別供給路
２１８  圧力室
２２０  ノズル連通路
２２６  循環個別流路
２２８  循環共通流路
２３０  圧電素子
２３１  圧電体層
２３２  インク供給室
２３６  インク循環室
２５２  供給側個別流路
２５６  回収側個別流路
２６４  上部電極
２６５  下部電極
２６６  振動板
２６７  接着層
２７５  ノズルプレート
２７７、２７７Ｃ、２７７Ｍ、２７７Ｙ、２７７Ｋ  液体吐出面
２８０  ノズル開口
２８１  ノズル部
３００、３００Ｃ、３００Ｍ、３００Ｙ、３００Ｋ  クリーナ
３１０、３１０Ａ、３１０Ｂ、３１０Ｃ  払拭ウエブ
３１０Ｄ  巻芯
３１０Ｇ  溝
３１１Ａ、３１１Ｄ、３１１Ｆ  抑制部
３１１Ｂ  穴部
３１１Ｃ  非穴部
３１１Ｅ  楕円穴部
３１２  ケース
３１６  巻取軸
３１８、３５８  押圧ローラ
３１９  付勢部
３２０  前段ガイド
３２２  後段ガイド
３２４  フィードローラ
３２６  ケース本体
３２８  蓋
３３０  ヒンジ
３３２  ロック爪
３３４  爪受部
３４６Ｌ  第一軸支持部
３４６Ｒ  第二軸支持部
３５８  巻取ギア
３６０  第一前段ガイド
３６２  第二前段ガイド
３６４  第一後段ガイド
３６２Ｌ、３６２Ｒ  フランジ部
３６６  第二後段ガイド
３６６Ｌ、３６６Ｒ  フランジ部
３６８Ａ、３６８Ｂ  ブラケット
３７８  昇降レバー
３８２  ピン
３８６  ローラ駆動ギア
３８８  アイドルギア
３９２  駆動ギア
３９３  ラック
３９４  モータ
４００、４００Ａ  払拭ウエブ収納容器
４０１Ａ  出口形成部
４０１Ｂ  ニップ面
４０２  出口
４０４  繰出軸
４０６、４０６Ａ  払拭ウエブ収納部
４０６Ｂ  本体部
４０６Ｃ  蓋部
４０６Ｄ  開口部
４０６Ｅ  駆動接続部
４０８  ニップローラ対
４０８Ａ  ニップローラ
４０９  ばね支持部
４１０  外周面
４１４  ばね
４１６  ガイドローラ
４２０、４２０Ａ、４２０Ｂ、４２０Ｃ  ニップ部
４２２  板状弾性部材
４２４  支持部材
４３０  走行路規制構造体
４３２  第一ニップローラ
４３４  第二ニップローラ
４３６  洗浄液貯留部
４３６Ａ  底面
４４０  第一ギア
４４２  第二ギア
４４４  第三ギア
５００  キャップ
Ｓ  用紙
Ｓ１０からＳ１６  メンテナンス方法の各工程
【図１】
2018086797.tif 000003
【図２】
2018086797.tif 000004
【図３】
2018086797.tif 000005
【図４】
2018086797.tif 000006
【図５】
2018086797.tif 000007
【図６】
2018086797.tif 000008
【図７】
2018086797.tif 000009
【図８】
2018086797.tif 000010
【図９】
2018086797.tif 000011
【図１０】
2018086797.tif 000012
【図１１】
2018086797.tif 000013
【図１２】
2018086797.tif 000014
【図１３】
2018086797.tif 000015
【図１４】
2018086797.tif 000016
【図１５】
2018086797.tif 000017
【図１６】
2018086797.tif 000018
【図１７】
2018086797.tif 000019
【図１８】
2018086797.tif 000020
【図１９】
2018086797.tif 000021
【図２０】
2018086797.tif 000022
【図２１】
2018086797.tif 000023
【図２２】
2018086797.tif 000024
【図２３】
2018086797.tif 000025
【図２４】
2018086797.tif 000026
【図２５】
2018086797.tif 000027
【図２６】
2018086797.tif 000028
【図２７】
2018086797.tif 000029
【図２８】
2018086797.tif 000030
【図２９】
2018086797.tif 000031